(57)【要約】無線通信システムにおけるソース基地局がＱｏＳフロー対ＤＲＢマッピングに対する規則（ｒｕｌｅ  ｆｏｒ  Ｑｕａｌｉｔｙ  ｏｆ  Ｓｅｒｖｉｃｅ  ｆｌｏｗ  ｔｏ  ｄａｔａ  ｒａｄｉｏ  ｂｅａｒｅｒ  ｍａｐｐｉｎｇ）をターゲット基地局に送信する方法及びこれをサポートする装置が提供される。前記方法は、ターゲットセルの測定結果（ｍｅａｓｕｒｅｍｅｎｔ  ｒｅｓｕｌｔ）を端末から受信するステップと、前記測定結果に基づいて前記ターゲット基地局に前記端末のハンドオーバを決定するステップと、前記ソース基地局のＱｏＳフロー対ＤＲＢマッピングに対する規則を含むハンドオーバ要求メッセージを前記ターゲット基地局に送信するステップとを含むことができる。【選択図】図１３
2019525587.tif 000002
【特許請求の範囲】
【請求項１】
無線通信システムにおけるソース基地局がＱｏＳフロー対ＤＲＢマッピングに対する規則（ｒｕｌｅ  ｆｏｒ  Ｑｕａｌｉｔｙ  ｏｆ  Ｓｅｒｖｉｃｅ  ｆｌｏｗ  ｔｏ  ｄａｔａ  ｒａｄｉｏ  ｂｅａｒｅｒ  ｍａｐｐｉｎｇ）をターゲット基地局に送信する方法において、
ターゲットセルの測定結果（ｍｅａｓｕｒｅｍｅｎｔ  ｒｅｓｕｌｔ）を端末から受信するステップと、
前記測定結果に基づいて前記ターゲット基地局に前記端末のハンドオーバを決定するステップと、
前記ソース基地局のＱｏＳフロー対ＤＲＢマッピングに対する規則を含むハンドオーバ要求メッセージを前記ターゲット基地局に送信するステップとを含むことを特徴とする方法。
【請求項２】
前記ＱｏＳフロー対ＤＲＢマッピングに対する規則は、前記ソース基地局で特定ＱｏＳフローを特定ＤＲＢにマッピングするために使われる規則であることを特徴とする請求項１に記載の方法。
【請求項３】
前記ＱｏＳフロー対ＤＲＢマッピングに対する規則を含むハンドオーバ要求メッセージが前記ターゲット基地局に送信される場合、前記ＱｏＳフロー対ＤＲＢマッピングに対する規則は、前記ターゲット基地局でＱｏＳフローをＤＲＢにマッピングするために使われることを特徴とする請求項１に記載の方法。
【請求項４】
前記ハンドオーバ要求メッセージに含まれているＱｏＳフロー対ＤＲＢマッピングに対する規則が前記ターゲット基地局で使われるかどうかを指示する指示子を前記ターゲット基地局から受信するステップをさらに含むことを特徴とする請求項１に記載の方法。
【請求項５】
前記受信された指示子に基づいて前記ソース基地局から前記ターゲット基地局へのデータフォワーディングを制御するステップをさらに含むことを特徴とする請求項４に記載の方法。
【請求項６】
前記ターゲット基地局へのハンドオーバは、前記受信された指示子に基づいて決定されることを特徴とする請求項４に記載の方法。
【請求項７】
前記ＱｏＳフローは、ＱｏＳプロファイルを含むことを特徴とする請求項１に記載の方法。
【請求項８】
無線通信システムにおけるマスター（ｍａｓｔｅｒ）基地局がＱｏＳフロー対ＤＲＢマッピングに対する規則（ｒｕｌｅ  ｆｏｒ  Ｑｕａｌｉｔｙ  ｏｆ  Ｓｅｒｖｉｃｅ  ｆｌｏｗ  ｔｏ  ｄａｔａ  ｒａｄｉｏ  ｂｅａｒｅｒ  ｍａｐｐｉｎｇ）をセカンダリ（Ｓｅｃｏｎｄａｒｙ）基地局に送信する方法において、
前記セカンダリ基地局に対する測定結果（ｍｅａｓｕｒｅｍｅｎｔ  ｒｅｓｕｌｔ）を端末から受信するステップと、
前記測定結果に基づいて前記セカンダリ基地局にデータオフローディングを決定するステップと、
前記マスター基地局のＱｏＳフロー対ＤＲＢマッピングに対する規則を前記セカンダリ基地局に送信するステップとを含むことを特徴とする方法。
【請求項９】
前記ＱｏＳフロー対ＤＲＢマッピングに対する規則は、前記マスター基地局で特定ＱｏＳフローを特定ＤＲＢにマッピングするために使われる規則であることを特徴とする請求項８に記載の方法。
【請求項１０】
前記ＱｏＳフロー対ＤＲＢマッピングに対する規則が前記セカンダリ基地局に送信される場合、前記ＱｏＳフロー対ＤＲＢマッピングに対する規則は、前記セカンダリ基地局でＱｏＳフローをＤＲＢにマッピングするために使われることを特徴とする請求項８に記載の方法。
【請求項１１】
前記ＱｏＳフロー対ＤＲＢマッピングに対する規則が前記セカンダリ基地局で使われるかどうかを指示する指示子を前記セカンダリ基地局から受信するステップをさらに含むことを特徴とする請求項８に記載の方法。
【請求項１２】
前記受信された指示子に基づいて前記マスター基地局から前記セカンダリ基地局へのデータフォワーディングを制御するステップをさらに含むことを特徴とする請求項１１に記載の方法。
【請求項１３】
前記セカンダリ基地局へのデータオフローディングは、前記受信された指示子に基づいて決定されることを特徴とする請求項１１に記載の方法。
【請求項１４】
前記ＱｏＳフロー対ＤＲＢマッピングに対する規則は、セカンダリノード付加要求メッセージ（ｓｅｃｏｎｄａｒｙ  ｎｏｄｅ  ａｄｄｉｔｉｏｎ  ｒｅｑｕｅｓｔ  ｍｅｓｓａｇｅ）またはセカンダリノード修正要求メッセージ（ｓｅｃｏｎｄａｒｙ  ｎｏｄｅ  ｍｏｄｉｆｉｃａｔｉｏｎ  ｒｅｑｕｅｓｔ  ｍｅｓｓａｇｅ）に含まれることを特徴とする請求項８に記載の方法。
【請求項１５】
無線通信システムにおけるＱｏＳフロー対ＤＲＢマッピングに対する規則（ｒｕｌｅ  ｆｏｒ  Ｑｕａｌｉｔｙ  ｏｆ  Ｓｅｒｖｉｃｅ  ｆｌｏｗ  ｔｏ  ｄａｔａ  ｒａｄｉｏ  ｂｅａｒｅｒ  ｍａｐｐｉｎｇ）をターゲット基地局に送信するソース基地局において、
メモリと、
送受信機と、
前記メモリと前記送受信機を連結するプロセッサとを含み、前記プロセッサは、
前記送受信機がターゲットセルの測定結果（ｍｅａｓｕｒｅｍｅｎｔ  ｒｅｓｕｌｔ）を端末から受信するように制御し、
前記測定結果に基づいて前記ターゲット基地局に前記端末のハンドオーバを決定し、及び前記送受信機が前記ソース基地局のＱｏＳフロー対ＤＲＢマッピングに対する規則を含むハンドオーバ要求メッセージを前記ターゲット基地局に送信するように制御することを特徴とするソース基地局。
【発明の詳細な説明】
【技術分野】
【０００１】
本発明は、無線通信システムに関し、より詳しくは、基地局がＱｏＳフロー対ＤＲＢマッピングに対する規則（ｒｕｌｅ  ｆｏｒ  Ｑｕａｌｉｔｙ  ｏｆ  Ｓｅｒｖｉｃｅ  ｆｌｏｗ  ｔｏ  ｄａｔａ  ｒａｄｉｏ  ｂｅａｒｅｒ  ｍａｐｐｉｎｇ）を送信する方法及びこれをサポートする装置に関する。
【背景技術】
【０００２】
ＱｏＳとは、多様なトラフィック（メール、データ送信、音声または映像）をそれぞれの性格によって最終ユーザに円滑に伝達するための技術である。最も基本的なＱｏＳパラメータは、帯域幅（Ｂａｎｄｗｉｄｔｈ）、セル送信遅延（Ｃｅｌｌ  Ｔｒａｎｓｆｅｒ  Ｄｅｌａｙ：ＣＴＤ）、セル遅延変動（Ｃｅｌｌ  Ｄｅｌａｙ  Ｖａｒｉａｔｉｏｎ：ＣＤＶ）またはセル損失率（Ｃｅｌｌ  Ｌｏｓｓ  Ｒａｔｉｏ：ＣＬＲ）である。
【０００３】
４Ｇ（４ｔｈ−Ｇｅｎｅｒａｔｉｏｎ）通信システム商用化以後、増加する無線データトラフィック需要を満たすために、改善された５Ｇ（５ｔｈ−Ｇｅｎｅｒａｔｉｏｎ）通信システムまたはｐｒｅ−５Ｇ通信システムを開発するための努力が行われている。このような理由で、５Ｇ通信システムまたはｐｒｅ−５Ｇ通信システムは、４Ｇネットワーク以後（ｂｅｙｏｎｄ  ４Ｇ  ｎｅｔｗｏｒｋ）通信システムまたはＬＴＥ（ｌｏｎｇ  ｔｅｒｍ  ｅｖｏｌｕｔｉｏｎ）システム以後（ｐｏｓｔ  ＬＴＥ）以後のシステムと呼ばれている。
【発明の概要】
【発明が解決しようとする課題】
【０００４】
一方、５Ｇコアネットワークと新しいＲＡＮとの間にデータパケット送信のためのＱｏＳフロー概念が導入されるにつれ、ＱｏＳフローをＤＲＢにマッピングするための規則が必要になった。しかし、基地局は、隣接基地局のＱｏＳフロー対ＤＲＢマッピング規則を知ることができないため、例えば、端末が基地局から隣接基地局へハンドオーバする場合、隣接基地局は、前記端末に対してどんなＱｏＳフロー対ＤＲＢマッピング規則を適用すべきかを決定することができない。基地局間にＱｏＳフロー対ＤＲＢマッピング規則が互いに異なる場合、例えば、ターゲット基地局がソース基地局から伝達されたパケットを端末に正確に伝達できないなどの問題が発生できる。したがって、基地局間にＱｏＳフロー対ＤＲＢマッピング規則が共有される必要がある。
【課題を解決するための手段】
【０００５】
一実施例において、無線通信システムにおけるソース基地局がＱｏＳフロー対ＤＲＢマッピングに対する規則（ｒｕｌｅ  ｆｏｒ  Ｑｕａｌｉｔｙ  ｏｆ  Ｓｅｒｖｉｃｅ  ｆｌｏｗ  ｔｏ  ｄａｔａ  ｒａｄｉｏ  ｂｅａｒｅｒ  ｍａｐｐｉｎｇ）をターゲット基地局に送信する方法が提供される。前記方法は、ターゲットセルの測定結果（ｍｅａｓｕｒｅｍｅｎｔ  ｒｅｓｕｌｔ）を端末から受信するステップと、前記測定結果に基づいて前記ターゲット基地局に前記端末のハンドオーバを決定するステップと、前記ソース基地局のＱｏＳフロー対ＤＲＢマッピングに対する規則を含むハンドオーバ要求メッセージを前記ターゲット基地局に送信するステップとを含む。
【０００６】
他の実施例において、無線通信システムにおけるマスター（ｍａｓｔｅｒ）基地局がＱｏＳフロー対ＤＲＢマッピングに対する規則（ｒｕｌｅ  ｆｏｒ  Ｑｕａｌｉｔｙ  ｏｆ  Ｓｅｒｖｉｃｅ  ｆｌｏｗ  ｔｏ  ｄａｔａ  ｒａｄｉｏ  ｂｅａｒｅｒ  ｍａｐｐｉｎｇ）をセカンダリ（Ｓｅｃｏｎｄａｒｙ）基地局に送信する方法が提供される。前記方法は、前記セカンダリ基地局に対する測定結果（ｍｅａｓｕｒｅｍｅｎｔ  ｒｅｓｕｌｔ）を端末から受信するステップと、前記測定結果に基づいて前記セカンダリ基地局にデータオフローディングを決定するステップと、前記マスター基地局のＱｏＳフロー対ＤＲＢマッピングに対する規則を前記セカンダリ基地局に送信するステップとを含む。
【０００７】
他の実施例において、無線通信システムにおけるＱｏＳフロー対ＤＲＢマッピングに対する規則（ｒｕｌｅ  ｆｏｒ  Ｑｕａｌｉｔｙ  ｏｆ  Ｓｅｒｖｉｃｅ  ｆｌｏｗ  ｔｏ  ｄａｔａ  ｒａｄｉｏ  ｂｅａｒｅｒ  ｍａｐｐｉｎｇ）をターゲット基地局に送信するソース基地局が提供される。前記ソース基地局は、メモリと、送受信機と、前記メモリと前記送受信機を連結するプロセッサとを含み、前記プロセッサは、前記送受信機がターゲットセルの測定結果（ｍｅａｓｕｒｅｍｅｎｔ  ｒｅｓｕｌｔ）を端末から受信するように制御し、前記測定結果に基づいて前記ターゲット基地局に前記端末のハンドオーバを決定し、及び前記送受信機が前記ソース基地局のＱｏＳフロー対ＤＲＢマッピングに対する規則を含むハンドオーバ要求メッセージを前記ターゲット基地局に送信するように制御する。
【発明の効果】
【０００８】
基地局間にＱｏＳフロー対ＤＲＢマッピング規則が共有されることができる。
【図面の簡単な説明】
【０００９】
【図１】ＬＴＥシステム構造を示す。
【図２】制御平面に対するＬＴＥシステムの無線インターフェースプロトコルを示す。
【図３】ユーザ平面に対するＬＴＥシステムの無線インターフェースプロトコルを示す。
【図４】５Ｇシステムの構造を示す。
【図５】ユーザ平面に対する５Ｇシステムの無線インターフェースプロトコルを示す。
【図６】ＱｏＳフローとＤＲＢとの間のマッピングを示す。
【図７】本発明の一実施例によって、ハンドオーバ手順でＱｏＳフロー対ＤＲＢマッピングに対する規則が伝達される手順を示す。
【図８Ａ】本発明の一実施例によって、オフローディング手順でＱｏＳフロー対ＤＲＢマッピングに対する規則が伝達される手順を示す。
【図８Ｂ】本発明の一実施例によって、オフローディング手順でＱｏＳフロー対ＤＲＢマッピングに対する規則が伝達される手順を示す。
【図９】本発明の一実施例によって、Ｘｎインターフェースセットアップ手順でＱｏＳフロー対ＤＲＢマッピングに対する規則が伝達される手順を示す。
【図１０】本発明の一実施例によって、Ｘｎインターフェース設定アップデート手順でＱｏＳフロー対ＤＲＢマッピングに対する規則が伝達される手順を示す。
【図１１Ａ】本発明の一実施例によって、ハンドオーバ手順でＱｏＳフロー対ＤＲＢマッピングに対する規則が伝達される手順を示す。
【図１１Ｂ】本発明の一実施例によって、ハンドオーバ手順でＱｏＳフロー対ＤＲＢマッピングに対する規則が伝達される手順を示す。
【図１２Ａ】本発明の一実施例によって、ハンドオーバ手順でＱｏＳフローパケットが伝達される手順を示す。
【図１２Ｂ】本発明の一実施例によって、ハンドオーバ手順でＱｏＳフローパケットが伝達される手順を示す。
【図１３】本発明の実施例によって、ソース基地局がＱｏＳフロー対ＤＲＢマッピングに対する規則をターゲット基地局に送信する方法を示すブロック図である。
【図１４】本発明の実施例によって、マスター基地局がＱｏＳフロー対ＤＲＢマッピングに対する規則をセカンダリ基地局に送信する方法を示すブロック図である。
【図１５】本発明の実施例が具現される無線通信システムのブロック図である。
【発明を実施するための形態】
【００１０】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などのような多様な無線通信システムに使われることができる。ＣＤＭＡは、ＵＴＲＡ（ｕｎｉｖｅｒｓａｌ  ｔｅｒｒｅｓｔｒｉａｌ  ｒａｄｉｏ  ａｃｃｅｓｓ）やＣＤＭＡ２０００のような無線技術（ｒａｄｉｏ  ｔｅｃｈｎｏｌｏｇｙ）で具現されることができる。ＴＤＭＡは、ＧＳＭ（ｇｌｏｂａｌ  ｓｙｓｔｅｍ  ｆｏｒ  ｍｏｂｉｌｅ  ｃｏｍｍｕｎｉｃａｔｉｏｎｓ）／ＧＰＲＳ（ｇｅｎｅｒａｌ  ｐａｃｋｅｔ  ｒａｄｉｏ  ｓｅｒｖｉｃｅ）／ＥＤＧＥ（ｅｎｈａｎｃｅｄ  ｄａｔａ  ｒａｔｅｓ  ｆｏｒ  ＧＳＭ  ｅｖｏｌｕｔｉｏｎ）のような無線技術で具現されることができる。ＯＦＤＭＡは、ＩＥＥＥ（ｉｎｓｔｉｔｕｔｅ  ｏｆ  ｅｌｅｃｔｒｉｃａｌ  ａｎｄ  ｅｌｅｃｔｒｏｎｉｃｓ  ｅｎｇｉｎｅｅｒｓ）８０２．１１（Ｗｉ−Ｆｉ）、ＩＥＥＥ８０２．１６（ＷｉＭＡＸ）、ＩＥＥＥ８０２−２０、Ｅ−ＵＴＲＡ（ｅｖｏｌｖｅｄ  ＵＴＲＡ）などのような無線技術で具現されることができる。ＩＥＥＥ８０２．１６ｍは、ＩＥＥＥ８０２．１６ｅの進化であり、ＩＥＥＥ８０２．１６ｅに基づくシステムとの後方互換性（ｂａｃｋｗａｒｄ  ｃｏｍｐａｔｉｂｉｌｉｔｙ）を提供する。ＵＴＲＡは、ＵＭＴＳ（ｕｎｉｖｅｒｓａｌ  ｍｏｂｉｌｅ  ｔｅｌｅｃｏｍｍｕｎｉｃａｔｉｏｎｓ  ｓｙｓｔｅｍ）の一部である。３ＧＰＰ（３ｒｄ  ｇｅｎｅｒａｔｉｏｎ  ｐａｒｔｎｅｒｓｈｉｐ  ｐｒｏｊｅｃｔ）ＬＴＥ（ｌｏｎｇ  ｔｅｒｍ  ｅｖｏｌｕｔｉｏｎ）は、Ｅ−ＵＴＲＡ（ｅｖｏｌｖｅｄ−ＵＭＴＳ  ｔｅｒｒｅｓｔｒｉａｌ  ｒａｄｉｏ  ａｃｃｅｓｓ）を使用するＥ−ＵＭＴＳ（ｅｖｏｌｖｅｄ  ＵＭＴＳ）の一部であり、ダウンリンクでＯＦＤＭＡを採用し、アップリンクでＳＣ−ＦＤＭＡを採用する。ＬＴＥ−Ａ（ａｄｖａｎｃｅｄ）は、３ＧＰＰ  ＬＴＥの進化である。 ５Ｇ通信システムは、 ＬＴＥ−Ａの進化である。
【００１１】
説明を明確にするために、ＬＴＥ−Ａを中心に記述するが、本発明の技術的思想がこれに制限されるものではない。
【００１２】
図１は、ＬＴＥシステム構造を示す。通信ネットワークは、ＩＭＳ（ＩＰ  ｍｕｌｔｉｍｅｄｉａ  ｓｕｂｓｙｓｔｅｍ）を介したＶｏＩＰ（ｖｏｉｃｅ  ｏｖｅｒ  ＩＰ）及びパケットデータのような多様な通信サービスを提供するために広範囲に配置される。
【００１３】
図１を参照すると、ＬＴＥシステム構造は、Ｅ−ＵＴＲＡＮ（ｅｖｏｌｖｅｄ  ＵＭＴＳ  ｔｅｒｒｅｓｔｒｉａｌ  ｒａｄｉｏ  ａｃｃｅｓｓ  ｎｅｔｗｏｒｋ）、ＥＰＣ（ｅｖｏｌｖｅｄ  ｐａｃｋｅｔ  ｃｏｒｅ）及び一つ以上の端末（ＵＥ；ｕｓｅｒ  ｅｑｕｉｐｍｅｎｔ）１０を含む。ＵＥ１０は、ユーザにより運搬される通信装置を示す。ＵＥ１０は、固定されてもよいし、移動性を有してもよく、ＭＳ（ｍｏｂｉｌｅ  ｓｔａｔｉｏｎ）、ＵＴ（ｕｓｅｒ  ｔｅｒｍｉｎａｌ）、ＳＳ（ｓｕｂｓｃｒｉｂｅｒ  ｓｔａｔｉｏｎ）または無線装置（ｗｉｒｅｌｅｓｓ  ｄｅｖｉｃｅ）などと呼ばれることもある。
【００１４】
Ｅ−ＵＴＲＡＮは、一つ以上のｅＮＢ（ｅｖｏｌｖｅｄ  ｎｏｄｅ−Ｂ）２０を含むことができ、一つのセルに複数の端末が存在できる。ｅＮＢ２０は、制御平面（ｃｏｎｔｒｏｌ  ｐｌａｎｅ）とユーザ平面（ｕｓｅｒ  ｐｌａｎｅ）の終端点を端末に提供する。ｅＮＢ２０は、一般的に端末１０と通信する固定局（ｆｉｘｅｄ  ｓｔａｔｉｏｎ）を意味し、ＢＳ（ｂａｓｅ  ｓｔａｔｉｏｎ）、ＢＴＳ（ｂａｓｅ  ｔｒａｎｓｃｅｉｖｅｒ  ｓｙｓｔｅｍ）、アクセスポイント（ａｃｃｅｓｓ  ｐｏｉｎｔ）等、他の用語で呼ばれることもある。一つのｅＮＢ２０は、セル毎に配置されることができる。ｅＮＢ２０のカバレッジ内に一つ以上のセルが存在できる。一つのセルは、１．２５、２．５、５、１０及び２０ＭＨｚなどの帯域幅のうち一つを有するように設定され、複数の端末にダウンリンク（ＤＬ；ｄｏｗｎｌｉｎｋ）またはアップリンク（ＵＬ；ｕｐｌｉｎｋ）送信サービスを提供することができる。このとき、互いに異なるセルは、互いに異なる帯域幅を提供するように設定されることができる。
【００１５】
以下、ダウンリンク（ＤＬ；ｄｏｗｎｌｉｎｋ）は、ｅＮＢ２０からＵＥ１０への通信を示し、アップリンク（ＵＬ；ｕｐｌｉｎｋ）は、ＵＥ１０からｅＮＢ２０への通信を示す。ＤＬにおいて、送信機はｅＮＢ２０の一部であり、受信機はＵＥ１０の一部である。ＵＬにおいて、送信機はＵＥ１０の一部であり、受信機はｅＮＢ２０の一部である。
【００１６】
ＥＰＣは、制御平面の機能を担当するＭＭＥ（ｍｏｂｉｌｉｔｙ  ｍａｎａｇｅｍｅｎｔ  ｅｎｔｉｔｙ）、ユーザ平面の機能を担当するＳ−ＧＷ（ｓｙｓｔｅｍ  ａｒｃｈｉｔｅｃｔｕｒｅ  ｅｖｏｌｕｔｉｏｎ（ＳＡＥ）ｇａｔｅｗａｙ）を含むことができる。ＭＭＥ／Ｓ−ＧＷ３０は、ネットワークの端に位置でき、外部ネットワークと連結される。ＭＭＥは、端末の接続情報や端末の能力に対する情報を有し、このような情報は、主に端末の移動性管理に使われることができる。Ｓ−ＧＷは、Ｅ−ＵＴＲＡＮを終端点として有するゲートウェイである。ＭＭＥ／Ｓ−ＧＷ３０は、セッションの終端点と移動性管理機能を端末１０に提供する。ＥＰＣは、ＰＤＮ（ｐａｃｋｅｔ  ｄａｔａ  ｎｅｔｗｏｒｋ）−ＧＷ（ｇａｔｅｗａｙ）をさらに含むことができる。ＰＤＮ−ＧＷは、ＰＤＮを終端点として有するゲートウェイである。
【００１７】
ＭＭＥは、ｅＮＢ２０へのＮＡＳ（ｎｏｎ−ａｃｃｅｓｓ  ｓｔｒａｔｕｍ）シグナリング、ＮＡＳシグナリングセキュリティ、ＡＳ（ａｃｃｅｓｓ  ｓｔｒａｔｕｍ）セキュリティ制御、３ＧＰＰアクセスネットワーク間の移動性のためのｉｎｔｅｒＣＮ（ｃｏｒｅ  ｎｅｔｗｏｒｋ）ノードシグナリング、アイドルモード端末到達可能性（ページング再送信の制御及び実行を含む）、トラッキング領域リスト管理（アイドルモード及び活性化モードである端末のために）、Ｐ−ＧＷ及びＳ−ＧＷ選択、ＭＭＥ変更と共にハンドオーバのためのＭＭＥ選択、２Ｇまたは３Ｇ  ３ＧＰＰアクセスネットワークへのハンドオーバのためのＳＧＳＮ（ｓｅｒｖｉｎｇ  ＧＰＲＳ  ｓｕｐｐｏｒｔ  ｎｏｄｅ）選択、ローミング、認証、専用ベアラ設定を含むベアラ管理機能、ＰＷＳ（ｐｕｂｌｉｃ  ｗａｒｎｉｎｇ  ｓｙｓｔｅｍ：地震／津波警報システム（ＥＴＷＳ）及び常用モバイル警報システム（ＣＭＡＳ）を含む）メッセージ送信サポートなどの多様な機能を提供する。Ｓ−ＧＷホストは、ユーザ別基盤パケットフィルタリング（例えば、深層パケット検査を介して）、合法的な遮断、端末ＩＰ（ｉｎｔｅｒｎｅｔ  ｐｒｏｔｏｃｏｌ）アドレス割当、ＤＬで送信レベルパッキングマーキング、ＵＬ／ＤＬサービスレベル課金、ゲーティング及び等級強制、ＡＰＮ−ＡＭＢＲに基づくＤＬ等級強制の各種機能を提供する。明確性のためにＭＭＥ／Ｓ−ＧＷ３０は、“ゲートウェイ”と単純に表現し、これはＭＭＥ及びＳ−ＧＷを両方とも含むことができる。
【００１８】
ユーザトラフィック送信または制御トラフィック送信のためのインターフェースが使われることができる。端末１０及びｅＮＢ２０は、Ｕｕインターフェースにより連結されることができる。ｅＮＢ２０は、Ｘ２インターフェースにより相互間連結されることができる。隣接したｅＮＢ２０は、Ｘ２インターフェースによるネットワーク型ネットワーク構造を有することができる。ｅＮＢ２０は、Ｓ１インターフェースによりＥＰＣと連結されることができる。ｅＮＢ２０は、Ｓ１−ＭＭＥインターフェースによりＥＰＣと連結されることができ、Ｓ１−ＵインターフェースによりＳ−ＧＷと連結されることができる。Ｓ１インターフェースは、ｅＮＢ２０とＭＭＥ／Ｓ−ＧＷ３０との間に多対多関係（ｍａｎｙ−ｔｏ−ｍａｎｙ−ｒｅｌａｔｉｏｎ）をサポートする。
【００１９】
ｅＮＢ２０は、ゲートウェイ３０に対する選択、ＲＲＣ（ｒａｄｉｏ  ｒｅｓｏｕｒｃｅ  ｃｏｎｔｒｏｌ）活性（ａｃｔｉｖａｔｉｏｎ）の間にゲートウェイ３０へのルーティング（ｒｏｕｔｉｎｇ）、ページングメッセージのスケジューリング及び送信、ＢＣＨ（ｂｒｏａｄｃａｓｔ  ｃｈａｎｎｅｌ）情報のスケジューリング及び送信、ＵＬ及びＤＬで端末１０へのリソースの動的割当、ｅＮＢ測定の設定（ｃｏｎｆｉｇｕｒａｔｉｏｎ）及び提供（ｐｒｏｖｉｓｉｏｎｉｎｇ）、無線ベアラ制御、ＲＡＣ（ｒａｄｉｏ  ａｄｍｉｓｓｉｏｎ  ｃｏｎｔｒｏｌ）及びＬＴＥ活性状態で連結移動性制御機能を実行することができる。前記言及のように、ゲートウェイ３０は、ＥＰＣでページング開始、ＬＴＥアイドル状態管理、ユーザ平面の暗号化、ＳＡＥベアラ制御及びＮＡＳシグナリングの暗号化と無欠性保護機能を実行することができる。
【００２０】
図２は、制御平面に対するＬＴＥシステムの無線インターフェースプロトコルを示す。図３は、ユーザ平面に対するＬＴＥシステムの無線インターフェースプロトコルを示す。
【００２１】
端末とＥ−ＵＴＲＡＮとの間の無線インターフェースプロトコルの階層は、通信システムで広く知られたＯＳＩ（ｏｐｅｎ  ｓｙｓｔｅｍ  ｉｎｔｅｒｃｏｎｎｅｃｔｉｏｎ）モデルの下位３個階層に基づいてＬ１（第１の階層）、Ｌ２（第２の階層）及びＬ３（第３の階層）に区分される。端末とＥ−ＵＴＲＡＮとの間の無線インターフェースプロトコルは、水平的に物理階層、データリンク階層（ｄａｔａｌｉｎｋ  ｌａｙｅｒ）、及びネットワーク階層（ｎｅｔｗｏｒｋ  ｌａｙｅｒ）に区分されることができ、垂直的に制御信号送信のためのプロトコルスタック（ｐｒｏｔｏｃｏｌ  ｓｔａｃｋ）である制御平面（ｃｏｎｔｒｏｌ  ｐｌａｎｅ）とデータ情報送信のためのプロトコルスタックであるユーザ平面（ｕｓｅｒ  ｐｌａｎｅ）とに区分されることができる。無線インターフェースプロトコルの階層は、端末とＥ−ＵＴＲＡＮの対（ｐａｉｒ）で存在でき、これはＵｕインターフェースのデータ送信を担当することができる。
【００２２】
物理階層（ＰＨＹ；ｐｈｙｓｉｃａｌ  ｌａｙｅｒ）は、Ｌ１に属する。物理階層は、物理チャネルを介して上位階層に情報送信サービスを提供する。物理階層は、上位階層であるＭＡＣ（ｍｅｄｉａ  ａｃｃｅｓｓ  ｃｏｎｔｒｏｌ）階層とトランスポートチャネル（ｔｒａｎｓｐｏｒｔ  ｃｈａｎｎｅｌ）を介して連結される。物理チャネルは、トランスポートチャネルにマッピングされる。トランスポートチャネルを介してＭＡＣ階層と物理階層との間にデータが送信されることができる。互いに異なる物理階層間、即ち、送信機の物理階層と受信機の物理階層との間のデータは、物理チャネルを介して無線リソースを利用して送信されることができる。物理階層は、ＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）方式を利用して変調されることができ、時間と周波数を無線リソースとして活用する。
【００２３】
物理階層は、いくつかの物理制御チャネル（ｐｈｙｓｉｃａｌ  ｃｏｎｔｒｏｌ  ｃｈａｎｎｅｌ）を使用する。ＰＤＣＣＨ（ｐｈｙｓｉｃａｌ  ｄｏｗｎｌｉｎｋ  ｃｏｎｔｒｏｌ  ｃｈａｎｎｅｌ）は、ＰＣＨ（ｐａｇｉｎｇ  ｃｈａｎｎｅｌ）及びＤＬ−ＳＣＨ（ｄｏｗｎｌｉｎｋ  ｓｈａｒｅｄ  ｃｈａｎｎｅｌ）のリソース割当、ＤＬ−ＳＣＨと関連するＨＡＲＱ（ｈｙｂｒｉｄ  ａｕｔｏｍａｔｉｃ  ｒｅｐｅａｔ  ｒｅｑｕｅｓｔ）情報に対して端末に報告する。ＰＤＣＣＨは、アップリンク送信のリソース割当に対して端末に報告するためにアップリンクグラントを伝送することができる。ＰＣＦＩＣＨ（ｐｈｙｓｉｃａｌ  ｃｏｎｔｒｏｌ  ｆｏｒｍａｔ  ｉｎｄｉｃａｔｏｒ  ｃｈａｎｎｅｌ）は、ＰＤＣＣＨのために使われるＯＦＤＭシンボルの個数を端末に知らせ、全てのサブフレーム毎に送信される。ＰＨＩＣＨ（ｐｈｙｓｉｃａｌ  ｈｙｂｒｉｄ  ＡＲＱ  ｉｎｄｉｃａｔｏｒ  ｃｈａｎｎｅｌ）は、ＵＬ−ＳＣＨ送信に対するＨＡＲＱ  ＡＣＫ（ａｃｋｎｏｗｌｅｄｇｅｍｅｎｔ）／ＮＡＣＫ（ｎｏｎ−ａｃｋｎｏｗｌｅｄｇｅｍｅｎｔ）信号を伝送する。ＰＵＣＣＨ（ｐｈｙｓｉｃａｌ  ｕｐｌｉｎｋ  ｃｏｎｔｒｏｌ  ｃｈａｎｎｅｌ）は、ダウンリンク送信のためのＨＡＲＱ  ＡＣＫ／ＮＡＣＫ、スケジューリング要求及びＣＱＩのようなＵＬ制御情報を伝送する。ＰＵＳＣＨ（ｐｈｙｓｉｃａｌ  ｕｐｌｉｎｋ  ｓｈａｒｅｄ  ｃｈａｎｎｅｌ）は、ＵＬ−ＳＣＨ（ｕｐｌｉｎｋ  ｓｈａｒｅｄ  ｃｈａｎｎｅｌ）を伝送する。
【００２４】
物理チャネルは、時間領域で複数のサブフレーム（ｓｕｂｆｒａｍｅ）と周波数領域で複数の副搬送波（ｓｕｂｃａｒｒｉｅｒ）で構成される。一つのサブフレームは、時間領域で複数のシンボルで構成される。一つのサブフレームは、複数のリソースブロック（ＲＢ；ｒｅｓｏｕｒｃｅ  ｂｌｏｃｋ）で構成される。一つのリソースブロックは、複数のシンボルと複数の副搬送波で構成される。また、各サブフレームは、ＰＤＣＣＨのために該当サブフレームの特定シンボルの特定副搬送波を利用することができる。例えば、サブフレームの最初のシンボルがＰＤＣＣＨのために使われることができる。ＰＤＣＣＨは、ＰＲＢ（ｐｈｙｓｉｃａｌ  ｒｅｓｏｕｒｃｅ  ｂｌｏｃｋ）及びＭＣＳ（ｍｏｄｕｌａｔｉｏｎ  ａｎｄ  ｃｏｄｉｎｇ  ｓｃｈｅｍｅｓ）のように動的に割り当てられたリソースを伝送することができる。データが送信される単位時間であるＴＴＩ（ｔｒａｎｓｍｉｓｓｉｏｎ  ｔｉｍｅ  ｉｎｔｅｒｖａｌ）は、１個のサブフレームの長さと同じである。サブフレーム一つの長さは、１ｍｓである。
【００２５】
トランスポートチャネルは、チャネルが共有されるかどうかによって共通トランスポートチャネル及び専用トランスポートチャネルに分類される。ネットワークから端末にデータを送信するＤＬトランスポートチャネル（ＤＬ  ｔｒａｎｓｐｏｒｔ  ｃｈａｎｎｅｌ）は、システム情報を送信するＢＣＨ（ｂｒｏａｄｃａｓｔ  ｃｈａｎｎｅｌ）、ページングメッセージを送信するＰＣＨ（ｐａｇｉｎｇ  ｃｈａｎｎｅｌ）、ユーザトラフィックまたは制御信号を送信するＤＬ−ＳＣＨなどを含む。ＤＬ−ＳＣＨは、ＨＡＲＱ、変調、コーディング及び送信電力の変化による動的リンク適応及び動的／半静的リソース割当をサポートする。また、ＤＬ−ＳＣＨは、セル全体にブロードキャスト及びビームフォーミングの使用を可能にすることができる。システム情報は、一つ以上のシステム情報ブロックを伝送する。全てのシステム情報ブロックは、同じ周期に送信されることができる。ＭＢＭＳ（ｍｕｌｔｉｍｅｄｉａ  ｂｒｏａｄｃａｓｔ／ｍｕｌｔｉｃａｓｔ  ｓｅｒｖｉｃｅ）のトラフィックまたは制御信号は、ＭＣＨ（ｍｕｌｔｉｃａｓｔ  ｃｈａｎｎｅｌ）を介して送信される。
【００２６】
端末からネットワークにデータを送信するＵＬトランスポートチャネルは、初期制御メッセージ（ｉｎｉｔｉａｌ  ｃｏｎｔｒｏｌ  ｍｅｓｓａｇｅ）を送信するＲＡＣＨ（ｒａｎｄｏｍ  ａｃｃｅｓｓ  ｃｈａｎｎｅｌ）、ユーザトラフィックまたは制御信号を送信するＵＬ−ＳＣＨなどを含む。ＵＬ−ＳＣＨは、ＨＡＲＱ及び送信電力及び潜在的な変調及びコーディングの変化による動的リンク適応をサポートすることができる。また、ＵＬ−ＳＣＨは、ビームフォーミングの使用を可能にすることができる。ＲＡＣＨは、一般的にセルへの初期接続に使われる。
【００２７】
Ｌ２に属するＭＡＣ階層は、論理チャネル（ｌｏｇｉｃａｌ  ｃｈａｎｎｅｌ）を介して上位階層であるＲＬＣ（ｒａｄｉｏ  ｌｉｎｋ  ｃｏｎｔｒｏｌ）階層にサービスを提供する。ＭＡＣ階層は、複数の論理チャネルから複数のトランスポートチャネルへのマッピング機能を提供する。また、ＭＡＣ階層は、複数の論理チャネルから単数のトランスポートチャネルへのマッピングによる論理チャネル多重化機能を提供する。ＭＡＣ副階層は、論理チャネル上のデータ送信サービスを提供する。
【００２８】
論理チャネルは、送信される情報の種類によって、制御平面の情報伝達のための制御チャネルとユーザ平面の情報伝達のためのトラフィックチャネルとに分けられる。即ち、論理チャネルタイプのセットは、ＭＡＣ階層により提供される他のデータ送信サービスのために定義される。論理チャネルは、トランスポートチャネルの上位に位置してトランスポートチャネルにマッピングされる。
【００２９】
制御チャネルは、制御平面の情報伝達のみのために使われる。ＭＡＣ階層により提供される制御チャネルは、ＢＣＣＨ（ｂｒｏａｄｃａｓｔ  ｃｏｎｔｒｏｌ  ｃｈａｎｎｅｌ）、ＰＣＣＨ（ｐａｇｉｎｇ  ｃｏｎｔｒｏｌ  ｃｈａｎｎｅｌ）、ＣＣＣＨ（ｃｏｍｍｏｎ  ｃｏｎｔｒｏｌ  ｃｈａｎｎｅｌ）、ＭＣＣＨ（ｍｕｌｔｉｃａｓｔ  ｃｏｎｔｒｏｌ  ｃｈａｎｎｅｌ）及びＤＣＣＨ（ｄｅｄｉｃａｔｅｄ  ｃｏｎｔｒｏｌ  ｃｈａｎｎｅｌ）を含む。ＢＣＣＨは、システム制御情報を放送するためのダウンリンクチャネルである。ＰＣＣＨは、ページング情報の送信及びセル単位の位置がネットワークに知られていない端末をページングするために使われるダウンリンクチャネルである。ＣＣＣＨは、ネットワークとＲＲＣ接続を有しないとき、端末により使われる。ＭＣＣＨは、ネットワークから端末にＭＢＭＳ制御情報を送信するのに使われる一対多のダウンリンクチャネルである。ＤＣＣＨは、ＲＲＣ接続状態で端末とネットワークとの間に専用制御情報送信のために端末により使われる一対一の双方向チャネルである。
【００３０】
トラフィックチャネルは、ユーザ平面の情報伝達のみのために使われる。ＭＡＣ階層により提供されるトラフィックチャネルは、ＤＴＣＨ（ｄｅｄｉｃａｔｅｄ  ｔｒａｆｆｉｃ  ｃｈａｎｎｅｌ）及びＭＴＣＨ（ｍｕｌｔｉｃａｓｔ  ｔｒａｆｆｉｃ  ｃｈａｎｎｅｌ）を含む。ＤＴＣＨは、一対一のチャネルで一つの端末のユーザ情報の送信のために使われ、アップリンク及びダウンリンクの両方ともに存在できる。ＭＴＣＨは、ネットワークから端末にトラフィックデータを送信するための一対多のダウンリンクチャネルである。
【００３１】
論理チャネルとトランスポートチャネルとの間のアップリンク連結は、ＵＬ−ＳＣＨにマッピングされることができるＤＣＣＨ、ＵＬ−ＳＣＨにマッピングされることができるＤＴＣＨ、及びＵＬ−ＳＣＨにマッピングされることができるＣＣＣＨを含む。論理チャネルとトランスポートチャネルとの間のダウンリンク連結は、ＢＣＨまたはＤＬ−ＳＣＨにマッピングされることができるＢＣＣＨ、ＰＣＨにマッピングされることができるＰＣＣＨ、ＤＬ−ＳＣＨにマッピングされることができるＤＣＣＨ、ＤＬ−ＳＣＨにマッピングされることができるＤＴＣＨ、ＭＣＨにマッピングされることができるＭＣＣＨ、及びＭＣＨにマッピングされることができるＭＴＣＨを含む。
【００３２】
ＲＬＣ階層は、Ｌ２に属する。ＲＬＣ階層の機能は、下位階層がデータの送信に適するように無線セクションで上位階層から受信されたデータの分割／連接によるデータの大きさ調整を含む。無線ベアラ（ＲＢ；ｒａｄｉｏ  ｂｅａｒｅｒ）が要求する多様なＱｏＳを保障するために、ＲＬＣ階層は、透明モード（ＴＭ；ｔｒａｎｓｐａｒｅｎｔ  ｍｏｄｅ）、非確認モード（ＵＭ；ｕｎａｃｋｎｏｗｌｅｄｇｅｄ  ｍｏｄｅ）、及び確認モード（ＡＭ；ａｃｋｎｏｗｌｅｄｇｅｄ  ｍｏｄｅ）の三つの動作モードを提供する。ＡＭ  ＲＬＣは、信頼性のあるデータ送信のためにＡＲＱ（ａｕｔｏｍａｔｉｃ  ｒｅｐｅａｔ  ｒｅｑｕｅｓｔ）を介して再送信機能を提供する。一方、ＲＬＣ階層の機能は、ＭＡＣ階層内部の機能ブロックで具現されることができ、このとき、ＲＬＣ階層は、存在しないこともある。
【００３３】
ＰＤＣＰ（ｐａｃｋｅｔ  ｄａｔａ  ｃｏｎｖｅｒｇｅｎｃｅ  ｐｒｏｔｏｃｏｌ）階層は、Ｌ２に属する。ＰＤＣＰ階層は、相対的に帯域幅が小さい無線インターフェース上でＩＰｖ４またはＩＰｖ６のようなＩＰパケットを導入して送信されるデータが効率的に送信されるように不要な制御情報を減らすヘッダ圧縮機能を提供する。ヘッダ圧縮は、データのヘッダに必要な情報のみを送信することによって無線セクションで送信効率を上げる。さらに、ＰＤＣＰ階層は、セキュリティ機能を提供する。セキュリティ機能は、第３者の検査を防止する暗号化及び第３者のデータ操作を防止する無欠性保護を含む。
【００３４】
ＲＲＣ（ｒａｄｉｏ  ｒｅｓｏｕｒｃｅ  ｃｏｎｔｒｏｌ）階層は、Ｌ３に属する。Ｌ３の最も下段部分に位置するＲＲＣ階層は、制御平面でのみ定義される。ＲＲＣ階層は、端末とネットワークとの間の無線リソースを制御する役割を実行する。そのために、端末とネットワークは、ＲＲＣ階層を介してＲＲＣメッセージを交換する。ＲＲＣ階層は、ＲＢの構成（ｃｏｎｆｉｇｕｒａｔｉｏｎ）、再構成（ｒｅ−ｃｏｎｆｉｇｕｒａｔｉｏｎ）、及び解除（ｒｅｌｅａｓｅ）と関連して論理チャネル、トランスポートチャネル、及び物理チャネルの制御を担当する。ＲＢは、端末とネットワークとの間のデータ伝達のために、Ｌ１及びＬ２により提供される論理的経路である。即ち、ＲＢは、端末とＥ−ＵＴＲＡＮとの間のデータ送信のために、Ｌ２により提供されるサービスを意味する。ＲＢが設定されるということは、特定サービスを提供するために無線プロトコル階層及びチャネルの特性を規定し、各々の具体的なパラメータ及び動作方法を決定することを意味する。ＲＢは、ＳＲＢ（ｓｉｇｎａｌｉｎｇ  ＲＢ）とＤＲＢ（ｄａｔａ  ＲＢ）の二つに区分されることができる。ＳＲＢは、制御平面でＲＲＣメッセージを送信する通路として使われ、ＤＲＢは、ユーザ平面でユーザデータを送信する通路として使われる。
【００３５】
ＲＲＣ階層の上位に位置するＮＡＳ（Ｎｏｎ−Ａｃｃｅｓｓ  Ｓｔｒａｔｕｍ）階層は、連結管理（Ｓｅｓｓｉｏｎ  Ｍａｎａｇｅｍｅｎｔ）と移動性管理（Ｍｏｂｉｌｉｔｙ  Ｍａｎａｇｅｍｅｎｔ）などの機能を実行する。
【００３６】
図２を参照すると、ＲＬＣ及びＭＡＣ階層（ネットワーク側でｅＮＢで終了）は、スケジューリング、ＡＲＱ及びＨＡＲＱのような機能を実行することができる。ＲＲＣ階層（ネットワーク側でｅＮＢで終了）は、放送、ページング、ＲＲＣ接続管理、ＲＢ制御、移動性機能及び端末測定報告／制御のような機能を実行することができる。ＮＡＳ制御プロトコル（ネットワーク側でゲートウェイのＭＭＥで終了）は、ＳＡＥベアラ管理、認証、ＬＴＥ＿ＩＤＬＥ移動性ハンドリング、ＬＴＥ＿ＩＤＬＥでページング開始及び端末とゲートウェイとの間のシグナリングのためのセキュリティ制御のような機能を実行することができる。
【００３７】
図３を参照すると、ＲＬＣ及びＭＡＣ階層（ネットワーク側でｅＮＢで終了）は、制御平面での機能と同じ機能を実行することができる。ＰＤＣＰ階層（ネットワーク側でｅＮＢで終了）は、ヘッダ圧縮、無欠性保護及び暗号化のようなユーザ平面機能を実行することができる。
【００３８】
以下、５Ｇネットワーク構造に対して説明する。
【００３９】
図４は、５Ｇシステムの構造を示す。
【００４０】
既存ＥＰＳ（Ｅｖｏｌｖｅｄ  Ｐａｃｋｅｔ  Ｓｙｓｔｅｍ）のコアネットワーク構造であるＥＰＣ（Ｅｖｏｌｖｅｄ  Ｐａｃｋｅｔ  Ｃｏｒｅ）の場合、ＭＭＥ（Ｍｏｂｉｌｉｔｙ  Ｍａｎａｇｅｍｅｎｔ  Ｅｎｔｉｔｙ）、Ｓ−ＧＷ（Ｓｅｒｖｉｎｇ  Ｇａｔｅｗａｙ）、Ｐ−ＧＷ（Ｐａｃｋｅｔ  Ｄａｔａ  Ｎｅｔｗｏｒｋ  Ｇａｔｅｗａｙ）等、エンティティ（ｅｎｔｉｔｙ）別に機能、参照点（ｒｅｆｅｒｅｎｃｅ  ｐｏｉｎｔ）、プロトコルなどが定義されている。
【００４１】
それに対し、５Ｇコアネットワーク（または、ＮｅｘｔＧｅｎコアネットワーク）の場合、ネットワーク機能（ＮＦ；Ｎｅｔｗｏｒｋ  Ｆｕｎｃｔｉｏｎ）別に機能、参照点、プロトコルなどが定義されている。即ち、５Ｇコアネットワークは、エンティティ別に機能、参照点、プロトコルなどが定義されない。
【００４２】
図４を参照すると、５Ｇシステム構造は、一つ以上の端末（ＵＥ）１０、ＮＧ−ＲＡＮ（Ｎｅｘｔ  Ｇｅｎｅｒａｔｉｏｎ−Ｒａｄｉｏ  Ａｃｃｅｓｓ  Ｎｅｔｗｏｒｋ）及びＮＧＣ（Ｎｅｘｔ  Ｇｅｎｅｒａｔｉｏｎ  Ｃｏｒｅ）を含む。
【００４３】
ＮＧ−ＲＡＮは、一つ以上のｇＮＢ４０を含むことができ、一つのセルに複数の端末が存在できる。ｇＮＢ４０は、制御平面（ｃｏｎｔｒｏｌ  ｐｌａｎｅ）とユーザ平面（ｕｓｅｒ  ｐｌａｎｅ）の終端点を端末に提供する。ｇＮＢ４０は、一般的に端末１０と通信する固定局（ｆｉｘｅｄ  ｓｔａｔｉｏｎ）を意味し、ＢＳ（ｂａｓｅ  ｓｔａｔｉｏｎ）、ＢＴＳ（ｂａｓｅ  ｔｒａｎｓｃｅｉｖｅｒ  ｓｙｓｔｅｍ）、アクセスポイント（ａｃｃｅｓｓ  ｐｏｉｎｔ）等、他の用語で呼ばれることもある。一つのｇＮＢ４０は、セル毎に配置される。ｇＮＢ４０のカバレッジ内に一つ以上のセルが存在できる。
【００４４】
ＮＧＣは、制御平面の機能を担当するＡＭＦ（Ａｃｃｅｓｓ  ａｎｄ  Ｍｏｂｉｌｉｔｙ  Ｆｕｎｃｔｉｏｎ）及びＳＭＦ（Ｓｅｓｓｉｏｎ  Ｍａｎａｇｅｍｅｎｔ  Ｆｕｎｃｔｉｏｎ）を含むことができる。ＡＭＦは、移動性管理機能を担当することができ、ＳＭＦは、セッション管理機能を担当することができる。ＮＧＣは、ユーザ平面の機能を担当するＵＰＦ（Ｕｓｅｒ  Ｐｌａｎｅ  Ｆｕｎｃｔｉｏｎ）を含むことができる。
【００４５】
ユーザトラフィック送信または制御トラフィック送信のためのインターフェースが使われる。端末１０及びｇＮＢ４０は、ＮＧ３インターフェースにより連結される。ｇＮＢ４０は、Ｘｎインターフェースにより相互間連結される。隣接ｇＮＢ４０は、Ｘｎインターフェースによる網型ネットワーク構造を有することができる。ｇＮＢ４０は、ＮＧインターフェースによりＮＧＣと連結される。ｇＮＢ４０は、ＮＧ−ＣインターフェースによりＡＭＦと連結され、ＮＧ−ＵインターフェースによりＵＰＦと連結される。ＮＧインターフェースは、ｇＮＢ４０とＭＭＥ／ＵＰＦ５０との間に多対多関係（ｍａｎｙ−ｔｏ−ｍａｎｙ−ｒｅｌａｔｉｏｎ）をサポートする。
【００４６】
ｇＮＢホストは、無線リソース管理に対する機能（Ｆｕｎｃｔｉｏｎｓ  ｆｏｒ  Ｒａｄｉｏ  Ｒｅｓｏｕｒｃｅ  Ｍａｎａｇｅｍｅｎｔ）、ＩＰヘッダ圧縮及びユーザデータストリームの暗号化（ＩＰ  ｈｅａｄｅｒ  ｃｏｍｐｒｅｓｓｉｏｎ  ａｎｄ  ｅｎｃｒｙｐｔｉｏｎ  ｏｆ  ｕｓｅｒ  ｄａｔａ  ｓｔｒｅａｍ）、ＡＭＦへのルーティングが端末により提供された情報から決定されることができない時、端末付着でＡＭＦの選択（Ｓｅｌｅｃｔｉｏｎ  ｏｆ  ａｎ  ＡＭＦ  ａｔ  ＵＥ  ａｔｔａｃｈｍｅｎｔ  ｗｈｅｎ  ｎｏ  ｒｏｕｔｉｎｇ  ｔｏ  ａｎ  ＡＭＦ  ｃａｎ  ｂｅ  ｄｅｔｅｒｍｉｎｅｄ  ｆｒｏｍ  ｔｈｅ  ｉｎｆｏｒｍａｔｉｏｎ  ｐｒｏｖｉｄｅｄ  ｂｙ  ｔｈｅ  ＵＥ）、一つ以上のＵＰＦに向かうユーザ平面データのルーティング（Ｒｏｕｔｉｎｇ  ｏｆ  Ｕｓｅｒ  Ｐｌａｎｅ  ｄａｔａ  ｔｏｗａｒｄｓ  ＵＰＦ（ｓ））、（ＡＭＦから由来した）ページングメッセージの送信及びスケジューリング（Ｓｃｈｅｄｕｌｉｎｇ  ａｎｄ  ｔｒａｎｓｍｉｓｓｉｏｎ  ｏｆ  ｐａｇｉｎｇ  ｍｅｓｓａｇｅｓ（ｏｒｉｇｉｎａｔｅｄ  ｆｒｏｍ  ｔｈｅ  ＡＭＦ））、（ＡＭＦまたはＯ＆Ｍから由来した）システム放送情報の送信及びスケジューリング（Ｓｃｈｅｄｕｌｉｎｇ  ａｎｄ  ｔｒａｎｓｍｉｓｓｉｏｎ  ｏｆ  ｓｙｓｔｅｍ  ｂｒｏａｄｃａｓｔ  ｉｎｆｏｒｍａｔｉｏｎ（ｏｒｉｇｉｎａｔｅｄ  ｆｒｏｍ  ｔｈｅ  ＡＭＦ  ｏｒ  Ｏ＆Ｍ））、またはスケジューリング及び移動性に対する測定報告設定及び測定（Ｍｅａｓｕｒｅｍｅｎｔ  ａｎｄ  ｍｅａｓｕｒｅｍｅｎｔ  ｒｅｐｏｒｔｉｎｇ  ｃｏｎｆｉｇｕｒａｔｉｏｎ  ｆｏｒ  ｍｏｂｉｌｉｔｙ  ａｎｄ  ｓｃｈｅｄｕｌｉｎｇ）のような機能を遂行することができる。
【００４７】
ＡＭＦ（Ａｃｃｅｓｓ  ａｎｄ  Ｍｏｂｉｌｉｔｙ  Ｆｕｎｃｔｉｏｎ）ホストは、ＮＡＳシグナリング終了（ＮＡＳ  ｓｉｇｎａｌｌｉｎｇ  ｔｅｒｍｉｎａｔｉｏｎ）、ＮＡＳシグナリングセキュリティ（ＮＡＳ  ｓｉｇｎａｌｌｉｎｇ  ｓｅｃｕｒｉｔｙ）、ＡＳセキュリティ制御（ＡＳ  Ｓｅｃｕｒｉｔｙ  ｃｏｎｔｒｏｌ）、３ＧＰＰアクセスネットワーク間の移動性のためのインターＣＮノードシグナリング（Ｉｎｔｅｒ  ＣＮ  ｎｏｄｅ  ｓｉｇｎａｌｌｉｎｇ  ｆｏｒ  ｍｏｂｉｌｉｔｙ  ｂｅｔｗｅｅｎ  ３ＧＰＰ  ａｃｃｅｓｓ  ｎｅｔｗｏｒｋｓ）、（ページング再送信の実行及び制御を含む）ＩＤＬＥモード端末到達可能性（Ｉｄｌｅ  ｍｏｄｅ  ＵＥ  Ｒｅａｃｈａｂｉｌｉｔｙ（ｉｎｃｌｕｄｉｎｇ  ｃｏｎｔｒｏｌ  ａｎｄ  ｅｘｅｃｕｔｉｏｎ  ｏｆ  ｐａｇｉｎｇ  ｒｅｔｒａｎｓｍｉｓｓｉｏｎ））、ＡＣＴＩＶＥモード及びＩＤＬＥモードにある端末に対するトラッキング領域リスト管理（Ｔｒａｃｋｉｎｇ  Ａｒｅａ  ｌｉｓｔ  ｍａｎａｇｅｍｅｎｔ（ｆｏｒ  ＵＥ  ｉｎ  ｉｄｌｅ  ａｎｄ  ａｃｔｉｖｅ  ｍｏｄｅ））、ＡＭＦ変更を伴うハンドオーバに対するＡＭＦ選択（ＡＭＦ  ｓｅｌｅｃｔｉｏｎ  ｆｏｒ  ｈａｎｄｏｖｅｒｓ  ｗｉｔｈ  ＡＭＦ  ｃｈａｎｇｅ）、アクセス認証（Ａｃｃｅｓｓ  Ａｕｔｈｅｎｔｉｃａｔｉｏｎ）、またはローミング権限の確認を含むアクセス承認（Ａｃｃｅｓｓ  Ａｕｔｈｏｒｉｚａｔｉｏｎ  ｉｎｃｌｕｄｉｎｇ  ｃｈｅｃｋ  ｏｆ  ｒｏａｍｉｎｇ  ｒｉｇｈｔｓ）のような主要機能を遂行することができる。
【００４８】
ＵＰＦ（Ｕｓｅｒ  Ｐｌａｎｅ  Ｆｕｎｃｔｉｏｎ）ホストは、（適用可能な場合）イントラ／インター−ＲＡＴ移動性のためのアンカーポイント（Ａｎｃｈｏｒ  ｐｏｉｎｔ  ｆｏｒ  Ｉｎｔｒａ−／Ｉｎｔｅｒ−ＲＡＴ  ｍｏｂｉｌｉｔｙ（ｗｈｅｎ  ａｐｐｌｉｃａｂｌｅ））、データネットワークに相互連結の外部ＰＤＵセッションポイント（Ｅｘｔｅｒｎａｌ  ＰＤＵ  ｓｅｓｓｉｏｎ  ｐｏｉｎｔ  ｏｆ  ｉｎｔｅｒｃｏｎｎｅｃｔ  ｔｏ  Ｄａｔａ  Ｎｅｔｗｏｒｋ）、パケットルーティング及びフォワーディング（Ｐａｃｋｅｔ  ｒｏｕｔｉｎｇ＆ｆｏｒｗａｒｄｉｎｇ）、パケット検査及び政策規則適用のユーザ平面パート（Ｐａｃｋｅｔ  ｉｎｓｐｅｃｔｉｏｎ  ａｎｄ  Ｕｓｅｒ  ｐｌａｎｅ  ｐａｒｔ  ｏｆ  Ｐｏｌｉｃｙ  ｒｕｌｅ  ｅｎｆｏｒｃｅｍｅｎｔ）、トラフィック使用報告（Ｔｒａｆｆｉｃ  ｕｓａｇｅ  ｒｅｐｏｒｔｉｎｇ）、データネットワークにトラフィック流れをルーティングすることをサポートするアップリンク分類子（Ｕｐｌｉｎｋ  ｃｌａｓｓｉｆｉｅｒ  ｔｏ  ｓｕｐｐｏｒｔ  ｒｏｕｔｉｎｇ  ｔｒａｆｆｉｃ  ｆｌｏｗｓ  ｔｏ  ａ  ｄａｔａ  ｎｅｔｗｏｒｋ）、マルチホームＰＤＵセッションをサポートする分岐点（Ｂｒａｎｃｈｉｎｇ  ｐｏｉｎｔ  ｔｏ  ｓｕｐｐｏｒｔ  ｍｕｌｔｉ−ｈｏｍｅｄ  ＰＤＵ  ｓｅｓｓｉｏｎ）、ユーザ平面に対するＱｏＳハンドリング、例えば、パケットフィルタリング、ゲーティング、ＵＬ／ＤＬ料金執行（ＱｏＳ  ｈａｎｄｌｉｎｇ  ｆｏｒ  ｕｓｅｒ  ｐｌａｎｅ、ｅ．ｇ．ｐａｃｋｅｔ  ｆｉｌｔｅｒｉｎｇ、ｇａｔｉｎｇ、ＵＬ／ＤＬ  ｒａｔｅ  ｅｎｆｏｒｃｅｍｅｎｔ）、アップリンクトラフィック確認（ＳＤＦでＱｏＳフローマッピングで）（Ｕｐｌｉｎｋ  Ｔｒａｆｆｉｃ  ｖｅｒｉｆｉｃａｔｉｏｎ（ＳＤＦ  ｔｏ  ＱｏＳ  ｆｌｏｗ  ｍａｐｐｉｎｇ））、ダウンリンク及びアップリンクでの送信レベルパケットマーキング（Ｔｒａｎｓｐｏｒｔ  ｌｅｖｅｌ  ｐａｃｋｅｔ  ｍａｒｋｉｎｇ  ｉｎ  ｔｈｅ  ｕｐｌｉｎｋ  ａｎｄ  ｄｏｗｎｌｉｎｋ）、またはダウンリンクパケットバッファリング及びダウンリンクデータ通知トリガリング（Ｄｏｗｎｌｉｎｋ  ｐａｃｋｅｔ  ｂｕｆｆｅｒｉｎｇ  ａｎｄ  ｄｏｗｎｌｉｎｋ  ｄａｔａ  ｎｏｔｉｆｉｃａｔｉｏｎ  ｔｒｉｇｇｅｒｉｎｇ）のような主要機能を遂行することができる。
【００４９】
ＳＭＦ（Ｓｅｓｓｉｏｎ  Ｍａｎａｇｅｍｅｎｔ  Ｆｕｎｃｔｉｏｎ）ホストは、セッション管理（Ｓｅｓｓｉｏｎ  Ｍａｎａｇｅｍｅｎｔ）、ＵＥ  ＩＰアドレス割当及び管理（ＵＥ  ＩＰ  ａｄｄｒｅｓｓ  ａｌｌｏｃａｔｉｏｎ  ａｎｄ  ｍａｎａｇｅｍｅｎｔ）、ＵＰ機能の選択及び制御（Ｓｅｌｅｃｔｉｏｎ  ａｎｄ  ｃｏｎｔｒｏｌ  ｏｆ  ＵＰ  ｆｕｎｃｔｉｏｎ）、トラフィックを適切な対象にしてルートするためにＵＰＦでトラフィック調整を構成（Ｃｏｎｆｉｇｕｒｅｓ  ｔｒａｆｆｉｃ  ｓｔｅｅｒｉｎｇ  ａｔ  ＵＰＦ  ｔｏ  ｒｏｕｔｅ  ｔｒａｆｆｉｃ  ｔｏ  ｐｒｏｐｅｒ  ｄｅｓｔｉｎａｔｉｏｎ）、ＱｏＳ及び政策執行の一部を制御（Ｃｏｎｔｒｏｌ  ｐａｒｔ  ｏｆ  ｐｏｌｉｃｙ  ｅｎｆｏｒｃｅｍｅｎｔ  ａｎｄ  ＱｏＳ）、またはダウンリンクデータ通知（Ｄｏｗｎｌｉｎｋ  Ｄａｔａ  Ｎｏｔｉｆｉｃａｔｉｏｎ）のような主要機能を遂行することができる。
【００５０】
図５は、ユーザ平面に対する５Ｇシステムの無線インターフェースプロトコルを示す。
【００５１】
図５を参照すると、ユーザ平面に対する５Ｇシステムの無線インターフェースプロトコルは、ＬＴＥシステムと比較してＳＤＡＰ（Ｓｅｒｖｉｃｅ  Ｄａｔａ  Ａｄａｐｔａｔｉｏｎ  Ｐｒｏｔｏｃｏｌ）という新しい階層を含むことができる。ＳＤＡＰ階層の主要サービス及び機能は、ＱｏＳフロー（Ｑｕａｌｉｔｙ  ｏｆ  Ｓｅｒｖｉｃｅ  ｆｌｏｗ）とＤＲＢ（ｄａｔａ  ｒａｄｉｏ  ｂｅａｒｅｒ）との間のマッピング、ＤＬ及びＵＬパケットの両方ともでＱＦＩ（ＱｏＳ  ｆｌｏｗ  ＩＤ）マーキングである。ＳＤＡＰのシングルプロトコルエンティティは、二つのエンティティが設定（ｃｏｎｆｉｇｕｒｅ）されることができるＤＣ（ｄｕａｌ  ｃｏｎｎｅｃｔｉｖｉｔｙ）を除いて、それぞれの個別ＰＤＵセッションに対して設定されることができる。
【００５２】
図６は、ＱｏＳフローとＤＲＢとの間のマッピングを示す。
【００５３】
アップリンクにおいて、基地局は、反射マッピング（ｒｅｆｌｅｃｔｉｖｅ  ｍａｐｐｉｎｇ）または明示的設定（ｅｘｐｌｉｃｉｔ  ｃｏｎｆｉｇｕｒａｔｉｏｎ）のうちいずれか一つの方式によりＱｏＳフローをＤＲＢにマッピングすることを制御することができる。反射マッピングの場合、各ＤＲＢに対して、端末は、ダウンリンクパケットのＱｏＳフローＩＤをモニタリングし、アップリンクで同じマッピングを適用することができる。反射マッピングを可能にするために、基地局は、ＱｏＳフローＩＤにＵｕを介したダウンリンクパケットをマーキングすることができる。それに対し、明示的設定の場合、基地局は、ＱｏＳフロー対ＤＲＢマッピング（ＱｏＳ  ｆｌｏｗ  ｔｏ  ＤＲＢ  ｍａｐｐｉｎｇ）を設定することができる。本明細書で、ＱｏＳフロー対ＤＲＢマッピング（ＱｏＳ  ｆｌｏｗ  ｔｏ  ＤＲＢ  ｍａｐｐｉｎｇ）は、フロー対ＤＲＢマッピング（ｆｌｏｗ  ｔｏ  ＤＲＢ  ｍａｐｐｉｎｇ）またはＱｏＳフローＩＤ対ＤＲＢマッピング（ＱｏＳ  ｆｌｏｗ  ＩＤ  ｔｏ  ＤＲＢ  ｍａｐｐｉｎｇ）などのような概念として使われることができる。
【００５４】
一方、レガシＬＴＥベースのシステムにおいて、ＥＰＳベアラまたはＥ−ＲＡＢは、ＤＲＢに一対一にマッピングされることができる。前記マッピングは、無線インターフェース及びコアネットワークでベアラ概念に基づいている。また、一対一マッピング原則は、ネットワークの全てのノードに適用されることができる。しかし、５Ｇベースのシステムによると、５Ｇコアネットワークと新しいＲＡＮとの間で、データパケット送信のためのＱｏＳフロー概念が導入された。しかし、新しいＲＡＮと端末との間のＵｕインターフェースで、ＤＲＢ概念は、依然として維持されている。したがって、ＱｏＳフローをＤＲＢにマッピングするための規則が必要である。即ち、特定フローを特定ＤＲＢにマッピングさせるために、ＱｏＳフロー対ＤＲＢマッピング規則（ＱｏＳ  ｆｌｏｗ  ｔｏ  ＤＲＢ  ｍａｐｐｉｎｇ  ｒｕｌｅ）が要求されることができる。
【００５５】
現在、基地局は、隣接基地局のＱｏＳフロー対ＤＲＢマッピング規則を知ることができない。したがって、端末が基地局から隣接基地局へハンドオーバする場合、隣接基地局は、前記端末に対してどんなＱｏＳフロー対ＤＲＢマッピング規則を適用すべきかを決定することができない。または、端末のパケットが隣接基地局にオフローディングされる場合、隣接基地局は、オフローディングされたパケットに対してどんなＱｏＳフロー対ＤＲＢマッピング規則を適用すべきかを知ることができない。互いに異なるノード間のＱｏＳフロー対ＤＲＢマッピング規則は、端末のハンドオーバまたは他のノードへのパケットオフローディングで同じまたは異なり、ハンドオーバ／オフローディング遅延またはパケット損失（ｐａｃｋｅｔｓ  ｌｏｓｓ）がこのようなマッピング規則により引き起こされる。例えば、ソース基地局とターゲット基地局との間のハンドオーバ中に、ターゲット基地局は、ソース基地局から伝達されたパケットを端末に直ぐに伝達しなければならないが、ターゲット基地局とソース基地局のＱｏＳフロー対ＤＲＢマッピング規則が互いに異なる場合、ターゲット基地局は、ソース基地局から伝達されたパケットを端末に正確に伝達することができない。または、ターゲット基地局とソース基地局のＱｏＳフロー対ＤＲＢマッピング規則が互いに異なる場合、ターゲット基地局は、ソース基地局から伝達されたパケットを他の端末に送信することもできる。これは伝達されたパケットが不正確な（ｉｎｃｏｒｒｅｃｔ）ＤＲＢを介して前記端末または他の端末に伝達されることができるためである。このような問題を解決するために、基地局間にＱｏＳフロー対ＤＲＢマッピング規則が共有される必要がある。以下、本発明の一実施例によって、ＱｏＳフロー対ＤＲＢマッピングに対する規則を送信する方法及びこれをサポートする装置に対して説明する。
【００５６】
図７は、本発明の一実施例によって、ハンドオーバ手順でＱｏＳフロー対ＤＲＢマッピングに対する規則が伝達される手順を示す。
【００５７】
図７を参照すると、ステップＳ７０１において、ソース基地局は、領域制限情報（ａｒｅａ  ｒｅｓｔｒｉｃｔｉｏｎ  ｉｎｆｏｒｍａｔｉｏｎ）によって端末測定手順を設定（ｃｏｎｆｉｇｕｒｅ）することができる。前記ソース基地局は、ｇＮＢまたは向上した（ｅｎｈａｎｃｅｄ）ｅＮＢである。ソース基地局は、ビームレベル（ｂｅａｍ  ｌｅｖｅｌ）で測定を実行することができるように端末を設定することができる。
【００５８】
ステップＳ７０２において、端末は、システム情報で設定された通りにターゲットセルを測定することができる。そして、端末は、測定報告をプロセス（ｐｒｏｃｅｓｓ）することができる。以後、端末は、ソース基地局に測定報告を送信することができる。
【００５９】
ステップＳ７０３において、前記測定報告を利用して、ソース基地局は、ハンドオーバ手順をトリガすることを決定することができる。また、ソース基地局は、前記ソース基地局のＱｏＳフロー対ＤＲＢマッピング規則をターゲット基地局に含ませるように決定できる。前記ターゲット基地局は、ｇＮＢまたは向上したｅＮＢである。前記ＱｏＳフローは、ＱｏＳプロファイルを有していることもある。
【００６０】
ステップＳ７０４において、ソース基地局は、ターゲット基地局へのハンドオーバ手順を開始することができる。前記ハンドオーバ手順は、ＱｏＳフロー対ＤＲＢマッピング規則を含むハンドオーバ要求メッセージをターゲット基地局に送信することによって開始されることができる。付加的に、前記ハンドオーバ要求メッセージは、他の必要なパラメータを含むことができる。前記ＱｏＳフローは、ＱｏＳプロファイルを有していることもある。
【００６１】
ステップＳ７０５において、アドミッション制御（ａｄｍｉｓｓｉｏｎ  ｃｏｎｔｒｏｌ）は、ＱｏＳなどに基づいてソース基地局から送信されたＰＤＵセッション連結上でターゲット基地局により実行されることができる。ターゲット基地局がターゲット基地局の側面でＱｏＳフローをＤＲＢにマッピングする時、受信されたＱｏＳフロー対ＤＲＢマッピング規則がターゲット基地局により考慮されることができる。これは端末の移動性（ｍｏｂｉｌｉｔｙ）中にユーザ経験（ｕｓｅｒ  ｅｘｐｅｒｉｅｎｃｅ）に助けになることができる。前記ＱｏＳフローは、ＱｏＳプロファイルを有していることもある。
【００６２】
ステップＳ７０６において、ターゲット基地局は、Ｌ１／Ｌ２ハンドオーバを準備することができる。そして、ターゲット基地局は、ハンドオーバ要求ＡＣＫメッセージをソース基地局に送信できる。前記ハンドオーバ要求承認メッセージは、同じまたは類似のＱｏＳフロー対ＤＲＢマッピング規則が使われるかどうかをソース基地局に知らせることができる。ターゲット基地局で同じまたは類似のＱｏＳフロー対ＤＲＢマッピング規則が使われるかどうかは、特定指示子を介して知らされることができる。ソース基地局が前記特定指示子を受信すると、ソース基地局は、データフォワーディング（ｄａｔａ  ｆｏｒｗａｒｄｉｎｇ）のようなデータパケットをどのようにハンドリングすべきかを決定することができる。また、前記情報は、ソース基地局が端末にハンドオーバさせるかどうかを決定するレファレンス（ｒｅｆｅｒｅｎｃｅ）になることができる。
【００６３】
ステップＳ７０７において、ソース基地局は、端末にハンドオーバ命令を知らせることができる。そして、端末は、ターゲットセルにアクセスできる。
【００６４】
ステップＳ７０８において、ソース基地局は、ＳＮ状態伝達メッセージ（ＳＮ  ｓｔａｔｕｓ  ｔｒａｎｓｆｅｒ  ｍｅｓｓａｇｅ）をターゲット基地局に送信できる。前記ＳＮ状態伝達メッセージは、データフォワーディング（ｄａｔａ  ｆｏｒｗａｒｄｉｎｇ）のために送信されることができる。
【００６５】
ステップＳ７０９において、ターゲット基地局は、経路スイッチ要求メッセージ（ｐａｔｈ  ｓｗｉｔｃｈ  ｒｅｑｕｅｓｔ  ｍｅｓｓａｇｅ）を５Ｇ−コアＣＰに送信できる。前記経路スイッチ要求メッセージは、端末がスイッチングされるＰＤＵセッションコンテキストを含むセルを変更したことを知らせるために送信されることができる。ＰＤＵセッションのためのダウンリンクＩＤ及び基地局アドレスは、ＰＤＵセッションコンテキストに含まれることができる。
【００６６】
ステップＳ７１０において、５Ｇ−コアＣＰは、コアネットワークでＰＤＵセッションのためのユーザ平面経路（ｕｓｅｒ  ｐｌａｎｅ  ｐａｔｈ）を確立することができる。ＰＤＵセッションのためのダウンリンクＩＤ及び基地局アドレスは、ＵＰＧＷ（ｕｓｅｒ  ｐｌａｎｅ  ｇａｔｅｗａｙ）に送信されることができる。
【００６７】
ステップＳ７１１において、５Ｇ−コアＣＰは、経路スイッチＡＣＫメッセージをターゲット基地局に送信できる。
【００６８】
ステップＳ７１２において、ＵＥコンテキスト解除（ＵＥ  ｃｏｎｔｅｘｔ  ｒｅｌｅａｓｅ）を送信することによって、ターゲット基地局は、ハンドオーバの成功をソース基地局に知らせることができる。そして、ターゲット基地局は、ソース基地局によるリソースの解除をトリガすることができる。
【００６９】
ステップＳ７１３において、ＵＥコンテキスト解除メッセージを受信すると、ソース基地局は、ＵＥコンテキストと関連した無線及び制御平面関連リソースを解除することができる。進行中である全てのデータ伝達は続くことができる。
【００７０】
提案された本発明の一実施例によると、５Ｇコアと５Ｇ新しいＲＡＮとの間に新しいＱｏＳフロー概念が適用される場合、軟らかいハンドオーバまたはデータパケットに対するサービス連続性など、端末の経験（ｅｘｐｅｒｉｅｎｃｅ）を向上させることができ、ＲＡＮノードがハンドオーバ中に特定端末に対するデータパケットをもっとよく処理できるように促進させる効果がある。
【００７１】
図８Ａ及び図８Ｂは、本発明の一実施例によって、オフローディング手順でＱｏＳフロー対ＤＲＢマッピングに対する規則が伝達される手順を示す。
【００７２】
図８Ａを参照すると、ステップＳ８０１において、マスター（ｍａｓｔｅｒ）基地局は、領域制限情報（ａｒｅａ  ｒｅｓｔｒｉｃｔｉｏｎ  ｉｎｆｏｒｍａｔｉｏｎ）によって端末測定手順を設定（ｃｏｎｆｉｇｕｒｅ）することができる。前記マスター基地局は、ｇＮＢまたは向上した（ｅｎｈａｎｃｅｄ）ｅＮＢである。マスター基地局は、一つのセカンダリ（ｓｅｃｏｎｄａｒｙ）基地局と二重接続性（ｄｕａｌ  ｃｏｎｎｅｃｔｉｖｉｔｙ）を有することができ、さらに二つ以上のセカンダリ基地局と多重接続性（ｍｕｌｔｉｐｌｅ  ｃｏｎｎｅｃｔｉｖｉｔｙ）を有することができる。前記セカンダリ基地局は、ｇＮＢまたは向上したｅＮＢである。
【００７３】
ステップＳ８０２において、端末は、システム情報で設定された通りにターゲットセルを測定することができる。そして、端末は、測定報告をプロセス（ｐｒｏｃｅｓｓ）することができる。以後、端末は、ソース基地局に測定報告を送信することができる。
【００７４】
ステップＳ８０３において、前記測定報告を利用して、マスター基地局は、特定フローに対する無線リソースを割り当てるようにセカンダリ基地局に要求することを決定することができる。また、マスター基地局は、前記マスター基地局のＱｏＳフロー対ＤＲＢマッピング規則をセカンダリ基地局に含ませるように決定できる。前記ＱｏＳフローは、ＱｏＳプロファイルを有していることもある。
【００７５】
ステップＳ８０４において、マスター基地局は、ＱｏＳフロー対ＤＲＢマッピング規則をセカンダリ基地局に送信できる。前記ＱｏＳフロー対ＤＲＢマッピング規則は、セカンダリノード付加要求メッセージ（ｓｅｃｏｎｄａｒｙ  ｎｏｄｅ  ａｄｄｉｔｉｏｎ  ｒｅｑｕｅｓｔ  ｍｅｓｓａｇｅ）またはセカンダリノード修正要求メッセージ（ｓｅｃｏｎｄａｒｙ  ｎｏｄｅ  ｍｏｄｉｆｉｃａｔｉｏｎ  ｒｅｑｕｅｓｔ  ｍｅｓｓａｇｅ）に含まれることができる。付加的に、前記セカンダリノード付加要求メッセージまたはセカンダリノード修正要求メッセージは、他の必要なパラメータを含むことができる。前記ＱｏＳフローは、ＱｏＳプロファイルを有していることもある。
【００７６】
ステップＳ８０５において、アドミッション制御（ａｄｍｉｓｓｉｏｎ  ｃｏｎｔｒｏｌ）は、ＱｏＳなどに基づいてマスター基地局から送信されたＰＤＵセッション連結上でセカンダリ基地局により実行されることができる。セカンダリ基地局がセカンダリ基地局の側面でＱｏＳフローをＤＲＢにマッピングする時、受信されたＱｏＳフロー対ＤＲＢマッピング規則がセカンダリ基地局により考慮されることができる。これは端末の移動性（ｍｏｂｉｌｉｔｙ）中にユーザ経験（ｕｓｅｒ  ｅｘｐｅｒｉｅｎｃｅ）に助けになることができる。前記ＱｏＳフローは、ＱｏＳプロファイルを有していることもある。
【００７７】
ステップＳ８０６において、セカンダリノード内のＲＲＭエンティティがリソース要求を承認することができる場合、セカンダリ基地局は、セカンダリノード付加承認メッセージ（ｓｅｃｏｎｄａｒｙ  ｎｏｄｅ  ａｄｄｉｔｉｏｎ  ａｃｋｎｏｗｌｅｄｇｅ  ｍｅｓｓａｇｅ）またはセカンダリノード修正承認メッセージ（ｓｅｃｏｎｄａｒｙ  ｎｏｄｅ  ｍｏｄｉｆｉｃａｔｉｏｎ  ａｃｋｎｏｗｌｅｄｇｅ  ｍｅｓｓａｇｅ）をマスター基地局に送信できる。前記セカンダリノード付加承認メッセージまたはセカンダリノード修正承認メッセージは、同じまたは類似のＱｏＳフロー対ＤＲＢマッピング規則が使われるかどうかをマスター基地局に知らせることができる。セカンダリ基地局で同じまたは類似のＱｏＳフロー対ＤＲＢマッピング規則が使われるかどうかは、特定指示子を介して知らされることができる。マスター基地局が前記特定指示子を受信すると、マスター基地局は、データフォワーディング（ｄａｔａ  ｆｏｒｗａｒｄｉｎｇ）のようなデータパケットをどのようにハンドリングすべきかを決定することができる。また、前記情報は、マスター基地局が該当ＱｏＳフローをオフローディングさせるかどうかを決定するレファレンス（ｒｅｆｅｒｅｎｃｅ）になることができる。
【００７８】
ステップＳ８０７において、マスター基地局は、端末にハンドオーバ命令を知らせることができる。
【００７９】
図８Ｂを参照すると、ステップＳ８０８乃至ステップＳ８１６は、レガシ二重接続性手順と同様であるため、詳細な説明は省略する。
【００８０】
提案された本発明の一実施例によると、５Ｇコアと５Ｇ新しいＲＡＮとの間に新しいＱｏＳフロー概念が適用される場合、マスターノードからの軟らかいデータパケットオフローディングまたはデータパケットに対するサービス連続性など、端末の経験（ｅｘｐｅｒｉｅｎｃｅ）を向上させることができ、ＲＡＮノードが多重接続性または二重接続性のオフローディング手順中に特定端末に対するデータパケットをもっとよく処理できるように促進させる効果がある。
【００８１】
図９は、本発明の一実施例によって、Ｘｎインターフェースセットアップ手順でＱｏＳフロー対ＤＲＢマッピングに対する規則が伝達される手順を示す。
【００８２】
ＱｏＳフロー対ＤＲＢマッピング規則は、ＲＡＮインターフェース（例えば、Ｘｎインターフェース）がセットアップされる時、ＲＡＮ間で交換されることができる。
【００８３】
図９を参照すると、ステップＳ９１０において、第１のＲＡＮは、ＲＡＮインターフェースセットアップ要求メッセージを第２のＲＡＮに送信できる。前記ＲＡＮインターフェースセットアップ要求メッセージは、第１のＲＡＮのＱｏＳフロー対ＤＲＢマッピング規則を含むことができる。また、前記ＲＡＮインターフェースセットアップ要求メッセージは、第１のＲＡＮのグローバルＩＤを含むことができる。前記第１のＲＡＮは、ｇＮＢまたは向上したｅＮＢである。隣接ＲＡＮノードが第１のＲＡＮのＱｏＳフロー対ＤＲＢマッピング規則と同じ規則を使用する必要がある場合、前記第１のＲＡＮのＱｏＳフロー対ＤＲＢマッピング規則は、隣接ＲＡＮノードに送信されることができる。
【００８４】
ステップＳ９２０において、第２のＲＡＮが第１のＲＡＮのＱｏＳフロー対ＤＲＢマッピング規則を受信すると、第２のＲＡＮは、データパケットをハンドリングするための端末特定手順（ＵＥ  ｓｐｅｃｉｆｉｃ  ｐｒｏｃｅｄｕｒｅ）に第１のＲＡＮのＱｏＳフロー対ＤＲＢマッピング規則を考慮することができる。例えば、データパケットをハンドリングするための端末特定手順は、移動性手順またはデータフォワーディングである。以後、第２のＲＡＮは、ＲＡＮインターフェースセットアップ応答メッセージを第１のＲＡＮに送信できる。前記ＲＡＮインターフェースセットアップ応答メッセージは、第２のＲＡＮのＱｏＳフロー対ＤＲＢマッピング規則を含むことができる。また、前記ＲＡＮインターフェースセットアップ応答メッセージは、第２のＲＡＮのグローバルＩＤを含むことができる。前記第２のＲＡＮは、ｇＮＢまたは向上したｅＮＢである。
【００８５】
以後、第１のＲＡＮは、第１のＲＡＮの側面でデータパケットをハンドリングするための端末特定手順に対して前記受信されたパラメータに基づいて適切な動作を実行することができる。
【００８６】
提案された本発明の一実施例によると、５Ｇコアと５Ｇ新しいＲＡＮとの間に新しいＱｏＳフロー概念が適用される場合、マスターノードからの軟らかいデータパケットオフローディング、軟らかいハンドオーバまたはデータパケットに対するサービス連続性など、端末の経験（ｅｘｐｅｒｉｅｎｃｅ）を向上させることができ、ＲＡＮノードが多重接続性または二重接続性のオフローディング手順中にまたはハンドオーバ中に特定端末に対するデータパケットをもっとよく処理できるように促進させる効果がある。
【００８７】
図１０は、本発明の一実施例によって、Ｘｎインターフェース設定アップデート手順でＱｏＳフロー対ＤＲＢマッピングに対する規則が伝達される手順を示す。
【００８８】
ＱｏＳフロー対ＤＲＢマッピング規則は、ＲＡＮインターフェース（例えば、Ｘｎインターフェース）の設定がアップデートされる時、ＲＡＮ間で交換されることができる。
【００８９】
図１０を参照すると、ステップＳ１０１０において、第１のＲＡＮは、ＲＡＮインターフェース設定（ｃｏｎｆｉｇｕｒａｔｉｏｎ）アップデート要求メッセージを第２のＲＡＮに送信できる。前記ＲＡＮインターフェース設定アップデート要求メッセージは、第１のＲＡＮのアップデートされたＱｏＳフロー対ＤＲＢマッピング規則を含むことができる。また、前記ＲＡＮインターフェースセットアップ要求メッセージは、第１のＲＡＮのグローバルＩＤを含むことができる。前記第１のＲＡＮは、ｇＮＢまたは向上したｅＮＢである。第１のＲＡＮが前記第１のＲＡＮのＱｏＳフロー対ＤＲＢマッピング規則をアップデートすると、前記アップデートされた第１のＲＡＮのＱｏＳフロー対ＤＲＢマッピング規則は、隣接ＲＡＮノードに送信されることができる。
【００９０】
ステップＳ１０２０において、第２のＲＡＮが第１のＲＡＮのアップデートされたＱｏＳフロー対ＤＲＢマッピング規則を受信すると、第２のＲＡＮは、データパケットをハンドリングするための端末特定手順（ＵＥ  ｓｐｅｃｉｆｉｃ  ｐｒｏｃｅｄｕｒｅ）に第１のＲＡＮのアップデートされたＱｏＳフロー対ＤＲＢマッピング規則を考慮することができる。例えば、データパケットをハンドリングするための端末特定手順は、移動性手順またはデータフォワーディングである。以後、第２のＲＡＮは、ＲＡＮインターフェース設定アップデート応答メッセージを第１のＲＡＮに送信できる。前記ＲＡＮインターフェース設定アップデート応答メッセージは、第２のＲＡＮのＱｏＳフロー対ＤＲＢマッピング規則を含むことができる。その代案として、前記ＲＡＮインターフェース設定アップデート応答メッセージは、第２のＲＡＮのアップデートされたＱｏＳフロー対ＤＲＢマッピング規則を含むことができる。また、前記ＲＡＮインターフェースセットアップ応答メッセージは、第２のＲＡＮのグローバルＩＤを含むことができる。前記第２のＲＡＮは、ｇＮＢまたは向上したｅＮＢである。
【００９１】
以後、第１のＲＡＮは、第１のＲＡＮの側面でデータパケットをハンドリングするための端末特定手順に対して前記受信されたパラメータに基づいて適切な動作を実行することができる。
【００９２】
提案された本発明の一実施例によると、５Ｇコアと５Ｇ新しいＲＡＮとの間に新しいＱｏＳフロー概念が適用される場合、マスターノードからの軟らかいデータパケットオフローディング、軟らかいハンドオーバまたはデータパケットに対するサービス連続性など、端末の経験（ｅｘｐｅｒｉｅｎｃｅ）を向上させることができ、ＲＡＮノードが多重接続性または二重接続性のオフローディング手順中にまたはハンドオーバ中に特定端末に対するデータパケットをもっとよく処理できるように促進させる効果がある。
【００９３】
図１１Ａ及び図１１Ｂは、本発明の一実施例によって、ハンドオーバ手順でＱｏＳフロー対ＤＲＢマッピングに対する規則が伝達される手順を示す。
【００９４】
提案された手順によると、ソース基地局とＸｎインターフェースを有する隣接基地局との間で端末のハンドオーバが実行される時、ソース基地局は、ターゲット基地局にソース基地局のＱｏＳフロー対ＤＲＢマッピング規則を知らせることができる。任意の基地局に到着したＱｏＳフローは、ＱｏＳフロー対ＤＲＢマッピングを実行するＳＤＡＰ階層を通過しなければならず、ソース基地局及びターゲット基地局は、互いに異なるＱｏＳフロー対ＤＲＢマッピング規則を有することができ、ＳＤＡＰ階層を通過するパケットは、ターゲット基地局に伝達されなければならないと仮定する。
【００９５】
図１１Ａを参照すると、ステップＳ１１０１において、ソース基地局は、端末測定手順を設定することができる。測定制御メッセージは、ソース基地局から端末に送信されることができる。前記ソース基地局は、ｇＮＢまたは向上したｅＮＢである。
【００９６】
ステップＳ１１０２において、測定報告メッセージがトリガされることができ、測定報告メッセージは、ソース基地局に送信されることができる。
【００９７】
ステップＳ１１０３において、測定報告メッセージを受信すると、ソース基地局は、測定報告及びＲＲＭ情報に基づいて端末のハンドオーバを決定することができる。
【００９８】
ステップＳ１１０４において、ソース基地局は、ターゲット基地局の側面でハンドオーバを準備するようにするためにハンドオーバ要求メッセージをターゲット基地局に送信できる。前記ターゲット基地局は、ｇＮＢまたは向上したｅＮＢである。
【００９９】
ステップＳ１１０５において、ソース基地局からハンドオーバ要求メッセージを受信すると、受信されたＥ−ＲＡＢ  ＱｏＳ情報に基づいて、ターゲット基地局は、アドミッション制御（ａｄｍｉｓｓｉｏｎ  ｃｏｎｔｒｏｌ）を実行することができ、要求されたリソース（ｒｅｑｕｉｒｅｄ  ｒｅｓｏｕｒｃｅ）を設定することができる。
【０１００】
ステップＳ１１０６において、ターゲット基地局は、ハンドオーバ要求メッセージに対する応答としてハンドオーバ要求ＡＣＫメッセージをソース基地局に送信できる。
【０１０１】
ステップＳ１１０７において、ターゲット基地局からハンドオーバ要求ＡＣＫメッセージを受信すると、ソース基地局は、ハンドオーバを実行するためにＲＲＣメッセージとして端末に送信される透明コンテナ（ｔｒａｎｓｐａｒｅｎｔ  ｃｏｎｔａｉｎｅｒ）を含むＲＲＣ接続再設定メッセージ（ＲＲＣ  Ｃｏｎｎｅｃｔｉｏｎ  Ｒｅｃｏｎｆｉｇｕｒａｔｉｏｎ  ｍｅｓｓａｇｅ）を生成することができる。ＲＲＣ接続再設定メッセージが受信されると、端末は、ターゲット基地局とＲＲＣ接続を確立する時まで接続解除ないメイクビフォーブレーク（ｍａｋｅ  ｂｅｆｏｒｅ  ｂｒｅａｋ  ｈａｎｄｏｖｅｒ  ｗｉｔｈｏｕｔ  ｃｏｎｎｅｃｔｉｏｎ  ｒｅｌｅａｓｅ）またはソース基地局とＲＲＣ接続を解除する一般ハンドオーバ（ｎｏｒｍａｌ  ｈａｎｄｏｖｅｒ）を実行することができる。
【０１０２】
ステップＳ１１０８において、ソース基地局は、コアネットワークに送信されるアップリンクデータ及び端末に送信されるダウンリンクデータをバッファリングすることができる。もし、ソース基地局がメイクビフォーブレークハンドオーバをサポートする場合、ソース基地局は、ダウンリンクデータを端末に送信でき、またはコアネットワークに送信されるアップリンクデータを受信することができる。
【０１０３】
ステップＳ１１０９において、ソース基地局は、ソース基地局のＱｏＳフロー対ＤＲＢマッピング規則を含むＳＮ状態伝達メッセージ（ＳＮ  Ｓｔａｔｕｓ  Ｔｒａｎｓｆｅｒ  ｍｅｓｓａｇｅ）をターゲット基地局に送信できる。その代案として、ソース基地局のＱｏＳフロー対ＤＲＢマッピング規則をターゲット基地局に提供するために、新しいメッセージが使われることができ、新しいメッセージは、データフォワーディング前に送信されることができる。
【０１０４】
ステップＳ１１１０において、ＳＮ状態伝達メッセージまたは新しいメッセージを受信すると、ターゲット基地局は、ソース基地局及びターゲット基地局のＱｏＳフロー対ＤＲＢマッピング規則に基づいてフォワーディングされたパケットに対するリマッピングを実行することができる。即ち、フォワーディングされたパケットの場合、ターゲット基地局は、ソース基地局のＱｏＳフロー対ＤＲＢマッピング規則によってＤＲＢ対ＱｏＳマッピングを実行することができる。以後、該当マッピング規則によってＱｏＳフロー対ＤＲＢマッピングを実行することができる。ターゲット基地局は、リマッピングされたパケットをバッファリングすることができる。
【０１０５】
ステップＳ１１１１において、端末がターゲット基地局に成功的にアクセスすると、端末は、ハンドオーバを確認（ｃｏｎｆｉｒｍ）するためにＲＲＣ接続再設定完了メッセージ（ＲＲＣ  Ｃｏｎｎｅｃｔｉｏｎ  Ｒｅｃｏｎｆｉｇｕｒａｔｉｏｎ  Ｃｏｍｐｌｅｔｅ  ｍｅｓｓａｇｅ）をターゲット基地局に送信できる。ＲＲＣ接続再設定完了メッセージを受信すると、ターゲット基地局は、バッファリングされたパケットを端末に送信し始めることができる。
【０１０６】
図１１Ｂを参照すると、ステップＳ１１１２において、ターゲット基地局は、ダウンリンクＴＥＩＤを含むダウンリンク経路スイッチ要求メッセージ（Ｐａｔｈ  Ｓｗｉｔｃｈ  Ｒｅｑｕｅｓｔ  ｍｅｓｓａｇｅ）をＡＭＦに送信できる。前記ダウンリンクＴＥＩＤは、端末が基地局を変更したことを知らせるために割り当てられることができる。
【０１０７】
ステップＳ１１１３において、ターゲット基地局からダウンリンク経路スイッチ要求メッセージを受信すると、ＡＭＦは、ＳＭＦが端末をサービスし続けると決定できる。そして、ＡＭＦは、ターゲット基地局にダウンリンク経路のスイッチングを要求するためにダウンリンクＴＥＩＤを含むＰＤＵセッション修正要求メッセージ（Ｍｏｄｉｆｙ  ＰＤＵ  Ｓｅｓｓｉｏｎ  Ｒｅｑｕｅｓｔ  ｍｅｓｓａｇｅ）を該当ＳＭＦに送信できる。
【０１０８】
ステップＳ１１１４において、ＡＭＦからＰＤＵセッション修正要求メッセージを受信すると、ＳＭＦは、ダウンリンク経路をターゲット基地局にスイッチングするように決定できる。そして、ＳＭＦは、ダウンリンクパケットをターゲット基地局に伝達する適切なＵＰＧＷまたはＵＰＦを選択することができる。
【０１０９】
ステップＳ１１１５において、ＳＭＦは、ソース基地局へ向かう任意のユーザ平面／ＴＮＬリソースを解除するためにダウンリンクＴＥＩＤを含むＰＤＵセッション修正要求メッセージを選択されたＵＰＧＷまたはＵＰＦに送信できる。
【０１１０】
ステップＳ１１１６において、ＰＤＵセッション修正要求メッセージを受信すると、ＵＰＧＷまたはＵＰＦは、以前経路（ｏｌｄ  ｐａｔｈ）上の一つ以上の“エンドマーカー”パケットをソース基地局に送信できる。そして、ＵＰＧＷまたはＵＰＦは、ソース基地局へ向かう任意のユーザ平面／ＴＮＬリソースを解除することができる。
【０１１１】
ステップＳ１１１７において、ＵＰＧＷまたはＵＰＦは、ＰＤＵセッション修正応答メッセージ（Ｍｏｄｉｆｙ  ＰＤＵ  Ｓｅｓｓｉｏｎ  Ｒｅｓｐｏｎｓｅ  ｍｅｓｓａｇｅ）をＳＭＦに送信できる。
【０１１２】
ステップＳ１１１８において、ＵＰＧＷまたはＵＰＦからＰＤＵセッション修正応答メッセージを受信すると、ＳＭＦは、ＰＤＵセッション修正応答メッセージをＡＭＦに送信できる。
【０１１３】
ステップＳ１１１９において、ＳＭＦからＰＤＵセッション修正応答メッセージを受信すると、ＡＭＦは、ターゲット基地局へ向かうダウンリンク経路スイッチングが完了したことを知らせるために経路スイッチング要求ＡＣＫメッセージをターゲット基地局に送信できる。
【０１１４】
ステップＳ１１２０において、ＡＭＦから経路スイッチング要求ＡＣＫメッセージを受信すると、ターゲット基地局は、ハンドオーバ成功の指示及びソース基地局によるリソース解除開始のためにＵＥコンテキスト解除メッセージをソース基地局に送信できる。
【０１１５】
ステップＳ１１２１において、ターゲット基地局からＵＥコンテキスト解除メッセージを受信すると、ソース基地局は、ＵＥコンテキストと関連した無線及び制御平面関連リソースを解除することができる。
【０１１６】
ソース基地局のＱｏＳフロー対ＤＲＢマッピング規則が適用されるパケットがターゲット基地局に伝達されることができ、前記パケットは、ソース基地局の側面でデータフォワーディング中にパケット損失を避けるために付加的な手順無しで端末に直接送信されることができる。提案された本発明の一実施例によると、軟らかいハンドオーバなど、端末の経験（ｅｘｐｅｒｉｅｎｃｅ）を向上させることができ、ＲＡＮノードがハンドオーバ中に特定端末に対するデータパケットをもっとよく処理できるように促進させる効果がある。
【０１１７】
図１２Ａ及び図１２Ｂは、本発明の一実施例によって、ハンドオーバ手順でＱｏＳフローパケットが伝達される手順を示す。
【０１１８】
提案された手順によると、ソース基地局とＸｎインターフェースを有する隣接基地局との間で端末のハンドオーバが実行される時、ソース基地局は、特定ＱｏＳフローパケットをバッファリングすることができる。前記特定ＱｏＳフローパケットは、ＱｏＳフロー対ＤＲＢマッピングが適用される前にＵＰＧＷまたはＵＰＦから受信したパケットである。前記特定ＱｏＳフローパケットは、ＳＤＡＰ階層を通過したパケットに対してＱｏＳフロー対ＤＲＢマッピングを適用したパケットであるが、まだ端末に送信されないパケットである。前記特定ＱｏＳフローパケットは、端末から受信されたパケットに対してＱｏＳフロー対ＤＲＢマッピングを適用したパケットである。そして、ソース基地局は、バッファリングされた特定ＱｏＳフローパケットをターゲット基地局にフォワーディングできる。任意の基地局に到着したＱｏＳフローは、ＱｏＳフロー対ＤＲＢマッピングを実行するＳＤＡＰ階層を通過しなければならず、ソース基地局及びターゲット基地局は、互いに異なるＱｏＳフロー対ＤＲＢマッピング規則を有することができ、ＳＤＡＰ階層を通過することができないパケットもターゲット基地局に伝達されることができると仮定する。
【０１１９】
図１２Ａを参照すると、ステップＳ１２０１において、ソース基地局は、端末測定手順を設定することができる。測定制御メッセージは、ソース基地局から端末に送信されることができる。前記ソース基地局は、ｇＮＢまたは向上したｅＮＢである。
【０１２０】
ステップＳ１２０２において、測定報告メッセージがトリガされることができ、測定報告メッセージは、ソース基地局に送信されることができる。
【０１２１】
ステップＳ１２０３において、測定報告メッセージを受信すると、ソース基地局は、測定報告及びＲＲＭ情報に基づいて端末のハンドオーバを決定することができる。
【０１２２】
ステップＳ１２０４において、ソース基地局は、ターゲット基地局の側面でハンドオーバを準備するようにするためにハンドオーバ要求メッセージをターゲット基地局に送信できる。前記ターゲット基地局は、ｇＮＢまたは向上したｅＮＢである。
【０１２３】
ステップＳ１２０５において、ソース基地局からハンドオーバ要求メッセージを受信すると、受信されたＥ−ＲＡＢ  ＱｏＳ情報に基づいて、ターゲット基地局は、アドミッション制御（ａｄｍｉｓｓｉｏｎ  ｃｏｎｔｒｏｌ）を実行することができ、要求されたリソース（ｒｅｑｕｉｒｅｄ  ｒｅｓｏｕｒｃｅ）を設定することができる。
【０１２４】
ステップＳ１２０６において、ターゲット基地局は、ハンドオーバ要求メッセージに対する応答としてハンドオーバ要求ＡＣＫメッセージをソース基地局に送信できる。
【０１２５】
ステップＳ１２０７において、ターゲット基地局からハンドオーバ要求ＡＣＫメッセージを受信すると、ソース基地局は、ハンドオーバを実行するためにＲＲＣメッセージとして端末に送信される透明コンテナ（ｔｒａｎｓｐａｒｅｎｔ  ｃｏｎｔａｉｎｅｒ）を含むＲＲＣ接続再設定メッセージ（ＲＲＣ  Ｃｏｎｎｅｃｔｉｏｎ  Ｒｅｃｏｎｆｉｇｕｒａｔｉｏｎ  ｍｅｓｓａｇｅ）を生成することができる。ＲＲＣ接続再設定メッセージが受信されると、端末は、ターゲット基地局とＲＲＣ接続を確立する時まで接続解除ないメイクビフォーブレーク（ｍａｋｅ  ｂｅｆｏｒｅ  ｂｒｅａｋ  ｈａｎｄｏｖｅｒ  ｗｉｔｈｏｕｔ  ｃｏｎｎｅｃｔｉｏｎ  ｒｅｌｅａｓｅ）またはソース基地局とＲＲＣ接続を解除する一般ハンドオーバ（ｎｏｒｍａｌ  ｈａｎｄｏｖｅｒ）を実行することができる。
【０１２６】
ステップＳ１２０８において、ソース基地局は、特定ＱｏＳフローパケットをバッファリングすることができる。前記特定ＱｏＳフローパケットは、ＱｏＳフロー対ＤＲＢマッピングが適用される前にＵＰＧＷまたはＵＰＦから受信したパケットである。前記特定ＱｏＳフローパケットは、ＳＤＡＰ階層を通過したパケットに対してＱｏＳフロー対ＤＲＢマッピングを適用したパケットであるが、まだ端末に送信されないパケットである。前記特定ＱｏＳフローパケットは、端末から受信されたパケットに対してＱｏＳフロー対ＤＲＢマッピングを適用したパケットである。もし、ソース基地局がメイクビフォーブレークハンドオーバをサポートする場合、ソース基地局は、ＳＤＡＰ階層を通過したダウンリンクデータを端末に送信でき、またはコアネットワークに送信されるアップリンクデータを受信することができる。
【０１２７】
ステップＳ１２０９において、ソース基地局は、ＳＮ状態伝達メッセージ（ＳＮ  Ｓｔａｔｕｓ  Ｔｒａｎｓｆｅｒ  ｍｅｓｓａｇｅ）をターゲット基地局に送信できる。そして、ソース基地局は、前記特定ＱｏＳフローパケットをターゲット基地局にフォワーディングできる。
【０１２８】
ステップＳ１２１０において、ＳＮ状態伝達メッセージを受信した後、ターゲット基地局は、ソース基地局からフォワーディングされた特定ＱｏＳフローパケットをバッファリングすることができる。
【０１２９】
ステップＳ１２１１において、端末がターゲット基地局に成功裏にアクセスすると、端末は、ハンドオーバを確認（ｃｏｎｆｉｒｍ）するためにＲＲＣ接続再設定完了メッセージ（ＲＲＣ  Ｃｏｎｎｅｃｔｉｏｎ  Ｒｅｃｏｎｆｉｇｕｒａｔｉｏｎ  Ｃｏｍｐｌｅｔｅ  ｍｅｓｓａｇｅ）をターゲット基地局に送信できる。ＲＲＣ接続再設定完了メッセージを受信すると、ターゲット基地局は、前記ターゲット基地局のＱｏＳフロー対ＤＲＢマッピング規則を使用してバッファリングされたパケットを端末に送信し始めることができる。
【０１３０】
図１２Ｂを参照すると、ステップＳ１２１２において、ターゲット基地局は、ダウンリンクＴＥＩＤを含むダウンリンク経路スイッチ要求メッセージ（Ｐａｔｈ  Ｓｗｉｔｃｈ  Ｒｅｑｕｅｓｔ  ｍｅｓｓａｇｅ）をＡＭＦに送信できる。前記ダウンリンクＴＥＩＤは、端末が基地局を変更したことを知らせるために割り当てられることができる。
【０１３１】
ステップＳ１２１３において、ターゲット基地局からダウンリンク経路スイッチ要求メッセージを受信すると、ＡＭＦは、ＳＭＦが端末をサービスし続けると決定できる。そして、ＡＭＦは、ターゲット基地局にダウンリンク経路のスイッチングを要求するためにダウンリンクＴＥＩＤを含むＰＤＵセッション修正要求メッセージ（Ｍｏｄｉｆｙ  ＰＤＵ  Ｓｅｓｓｉｏｎ  Ｒｅｑｕｅｓｔ  ｍｅｓｓａｇｅ）を該当ＳＭＦに送信できる。
【０１３２】
ステップＳ１２１４において、ＡＭＦからＰＤＵセッション修正要求メッセージを受信すると、ＳＭＦは、ダウンリンク経路をターゲット基地局にスイッチングするように決定できる。そして、ＳＭＦは、ダウンリンクパケットをターゲット基地局に伝達する適切なＵＰＧＷまたはＵＰＦを選択することができる。
【０１３３】
ステップＳ１２１５において、ＳＭＦは、ソース基地局へ向かう任意のユーザ平面／ＴＮＬリソースを解除するためにダウンリンクＴＥＩＤを含むＰＤＵセッション修正要求メッセージを選択されたＵＰＧＷまたはＵＰＦに送信できる。
【０１３４】
ステップＳ１２１６において、ＰＤＵセッション修正要求メッセージを受信すると、ＵＰＧＷまたはＵＰＦは、以前経路（ｏｌｄ  ｐａｔｈ）上の一つ以上の“エンドマーカー”パケットをソース基地局に送信できる。そして、ＵＰＧＷまたはＵＰＦは、ソース基地局へ向かう任意のユーザ平面／ＴＮＬリソースを解除することができる。
【０１３５】
ステップＳ１２１７において、ＵＰＧＷまたはＵＰＦは、ＰＤＵセッション修正応答メッセージ（Ｍｏｄｉｆｙ  ＰＤＵ  Ｓｅｓｓｉｏｎ  Ｒｅｓｐｏｎｓｅ  ｍｅｓｓａｇｅ）をＳＭＦに送信できる。
【０１３６】
ステップＳ１２１８において、ＵＰＧＷまたはＵＰＦからＰＤＵセッション修正応答メッセージを受信すると、ＳＭＦは、ＰＤＵセッション修正応答メッセージをＡＭＦに送信できる。
【０１３７】
ステップＳ１２１９において、ＳＭＦからＰＤＵセッション修正応答メッセージを受信すると、ＡＭＦは、ターゲット基地局へ向かうダウンリンク経路スイッチングが完了したことを知らせるために経路スイッチング要求ＡＣＫメッセージをターゲット基地局に送信できる。
【０１３８】
ステップＳ１２２０において、ＡＭＦから経路スイッチング要求ＡＣＫメッセージを受信すると、ターゲット基地局は、ハンドオーバ成功の指示及びソース基地局によるリソース解除開始のためにＵＥコンテキスト解除メッセージをソース基地局に送信できる。
【０１３９】
ステップＳ１２２１において、ターゲット基地局からＵＥコンテキスト解除メッセージを受信すると、ソース基地局は、ＵＥコンテキストと関連した無線及び制御平面関連リソースを解除することができる。
【０１４０】
ＱｏＳフロー対ＤＲＢマッピング規則が適用されないＱｏＳフローパケットがＸｎインターフェースを介してターゲット基地局にフォワーディングされることができるため、パケットヘッダでまたはシグナリングにより付加的な情報がターゲット基地局に提供されることが必要である。提案された本発明の一実施例によると、軟らかいハンドオーバなど、端末の経験（ｅｘｐｅｒｉｅｎｃｅ）を向上させることができ、ＲＡＮノードがハンドオーバ中に特定端末に対するデータパケットをもっとよく処理できるように促進させる効果がある。
【０１４１】
以上で、説明の便宜のために、Ｘｎハンドオーバ手順でＱｏＳフロー対ＤＲＢマッピングに対する規則が伝達される場合のみを図示したが、これに制限されるものではなく、５Ｇ−コアＣＰノードと基地局との間の新しい制御平面インターフェースを利用したハンドオーバ手順でもＱｏＳフロー対ＤＲＢマッピングに対する規則が伝達されることができる。この場合、ソース基地局により送信されるＱｏＳフロー対ＤＲＢマッピングに対する規則は、５Ｇ−コアＣＰを経てターゲット基地局に伝達されることができる。
【０１４２】
図１３は、本発明の実施例によって、ソース基地局がＱｏＳフロー対ＤＲＢマッピングに対する規則をターゲット基地局に送信する方法を示すブロック図である。
【０１４３】
図１３を参照すると、ステップＳ１３１０において、ソース基地局は、ターゲットセルの測定結果（ｍｅａｓｕｒｅｍｅｎｔ  ｒｅｓｕｌｔ）を端末から受信することができる。
【０１４４】
ステップＳ１３２０において、ソース基地局は、前記測定結果に基づいて前記ターゲット基地局に前記端末のハンドオーバを決定することができる。
【０１４５】
ステップＳ１３３０において、ソース基地局は、前記ソース基地局のＱｏＳフロー対ＤＲＢマッピングに対する規則を含むハンドオーバ要求メッセージを前記ターゲット基地局に送信できる。前記ＱｏＳフロー対ＤＲＢマッピングに対する規則は、前記ソース基地局で特定ＱｏＳフローを特定ＤＲＢにマッピングするために使われる規則である。前記ＱｏＳフロー対ＤＲＢマッピングに対する規則を含むハンドオーバ要求メッセージが前記ターゲット基地局に送信される場合、前記ＱｏＳフロー対ＤＲＢマッピングに対する規則は、前記ターゲット基地局でＱｏＳフローをＤＲＢにマッピングするために使われることができる。
【０１４６】
付加的に、ソース基地局は、前記ハンドオーバ要求メッセージに含まれているＱｏＳフロー対ＤＲＢマッピングに対する規則が前記ターゲット基地局で使われるかどうかを指示する指示子を前記ターゲット基地局から受信することができる。付加的に、ソース基地局は、前記受信された指示子に基づいて前記ソース基地局から前記ターゲット基地局へのデータフォワーディングを制御することができる。前記ターゲット基地局へのハンドオーバは、前記受信された指示子に基づいて決定されることができる。
【０１４７】
前記ＱｏＳフローは、ＱｏＳプロファイルを含むことができる。
【０１４８】
図１４は、本発明の実施例によって、マスター基地局がＱｏＳフロー対ＤＲＢマッピングに対する規則をセカンダリ基地局に送信する方法を示すブロック図である。
【０１４９】
図１４を参照すると、ステップＳ１４１０において、マスター基地局は、前記セカンダリ基地局に対する測定結果（ｍｅａｓｕｒｅｍｅｎｔ  ｒｅｓｕｌｔ）を端末から受信することができる。
【０１５０】
ステップＳ１４２０において、マスター基地局は、前記測定結果に基づいて前記セカンダリ基地局にデータオフローディングを決定することができる。
【０１５１】
ステップＳ１４３０において、マスター基地局は、前記マスター基地局のＱｏＳフロー対ＤＲＢマッピングに対する規則を前記セカンダリ基地局に送信できる。
【０１５２】
前記ＱｏＳフロー対ＤＲＢマッピングに対する規則は、前記マスター基地局で特定ＱｏＳフローを特定ＤＲＢにマッピングするために使われる規則である。前記ＱｏＳフロー対ＤＲＢマッピングに対する規則が前記セカンダリ基地局に送信される場合、前記ＱｏＳフロー対ＤＲＢマッピングに対する規則は、前記セカンダリ基地局でＱｏＳフローをＤＲＢにマッピングするために使われることができる。
【０１５３】
付加的に、マスター基地局は、前記ＱｏＳフロー対ＤＲＢマッピングに対する規則が前記セカンダリ基地局で使われるかどうかを指示する指示子を前記セカンダリ基地局から受信することができる。付加的に、マスター基地局は、前記受信された指示子に基づいて前記マスター基地局から前記セカンダリ基地局へのデータフォワーディングを制御することができる。前記セカンダリ基地局へのデータオフローディングは、前記受信された指示子に基づいて決定されることができる。
【０１５４】
前記ＱｏＳフロー対ＤＲＢマッピングに対する規則は、セカンダリノード付加要求メッセージ（ｓｅｃｏｎｄａｒｙ  ｎｏｄｅ  ａｄｄｉｔｉｏｎ  ｒｅｑｕｅｓｔ  ｍｅｓｓａｇｅ）またはセカンダリノード修正要求メッセージ（ｓｅｃｏｎｄａｒｙ  ｎｏｄｅ  ｍｏｄｉｆｉｃａｔｉｏｎ  ｒｅｑｕｅｓｔ  ｍｅｓｓａｇｅ）に含まれることができる。
【０１５５】
図１５は、本発明の実施例が具現される無線通信システムのブロック図である。
【０１５６】
端末１５００は、プロセッサ（ｐｒｏｃｅｓｓｏｒ）１５０１、メモリ（ｍｅｍｏｒｙ）１５０２及び送受信機（ｔｒａｎｓｃｅｉｖｅｒ）１５０３を含む。メモリ１５０２は、プロセッサ１５０１と連結され、プロセッサ１５０１を駆動するための多様な情報を格納する。送受信機１５０３は、プロセッサ１５０１と連結され、無線信号を送信及び／または受信する。プロセッサ１５０１は、提案された機能、過程及び／または方法を具現する。前述した実施例における端末の動作は、プロセッサ１５０１により具現されることができる。
【０１５７】
基地局１５１０は、プロセッサ１５１１、メモリ１５１２及び送受信機１５１３を含む。メモリ１５１２は、プロセッサ１５１１と連結され、プロセッサ１５１１を駆動するための多様な情報を格納する。送受信機１５１３は、プロセッサ１５１１と連結され、無線信号を送信及び／または受信する。プロセッサ１５１１は、提案された機能、過程及び／または方法を具現する。前述した実施例における基地局の動作は、プロセッサ１５１１により具現されることができる。
【０１５８】
ＡＭＦ１５２０は、プロセッサ１５２１、メモリ１５２２及び送受信機１５２３を含む。メモリ１５２２は、プロセッサ１５２１と連結され、プロセッサ１５２１を駆動するための多様な情報を格納する。送受信機１５２３は、プロセッサ１５２１と連結され、信号を送信及び／または受信する。プロセッサ１５２１は、提案された機能、過程及び／または方法を具現する。前述した実施例におけるＡＭＦの動作は、プロセッサ１５２１により具現されることができる。
【０１５９】
プロセッサは、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路及び／またはデータ処理装置を含むことができる。メモリは、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／または他の格納装置を含むことができる。送受信機は、無線信号を処理するためのベースバンド回路を含むことができる。実施例がソフトウェアで具現される時、前述した技法は、前述した機能を遂行するモジュール（過程、機能など）で具現されることができる。モジュールは、メモリに格納され、プロセッサにより実行されることができる。メモリは、プロセッサの内部または外部にあり、よく知られた多様な手段でプロセッサと連結されることができる。
【０１６０】
前述した一例に基づいて本明細書による多様な技法が図面と図面符号を介して説明された。説明の便宜のために、各技法は、特定の順序によって複数のステップやブロックを説明したが、このようなステップやブロックの具体的順序は、請求項に記載された発明を制限するものではなく、各ステップやブロックは、異なる順序で具現され、または異なるステップやブロックと同時に実行されることが可能である。また、通常の技術者であれば、各ステップやブロックが限定的に記述されたものではなく、発明の保護範囲に影響を与えない範囲内で少なくとも一つの他のステップが追加されたり削除されたりすることが可能であるということを知ることができる。
【０１６１】
前述した実施例は、多様な一例を含む。通常の技術者であれば、発明の全ての可能な一例の組み合わせが説明されることができないという点を知ることができ、また、本明細書の技術から多様な組み合わせが派生することができるという点を知ることができる。したがって、発明の保護範囲は、請求の範囲に記載された範囲を外れない範囲内で、詳細な説明に記載された多様な一例を組み合わせて判断しなければならない。
【図１】
2019525587.tif 000003
【図２】
2019525587.tif 000004
【図３】
2019525587.tif 000005
【図４】
2019525587.tif 000006
【図５】
2019525587.tif 000007
【図６】
2019525587.tif 000008
【図７】
2019525587.tif 000009
【図８Ａ】
2019525587.tif 000010
【図８Ｂ】
2019525587.tif 000011
【図９】
2019525587.tif 000012
【図１０】
2019525587.tif 000013
【図１１Ａ】
2019525587.tif 000014
【図１１Ｂ】
2019525587.tif 000015
【図１２Ａ】
2019525587.tif 000016
【図１２Ｂ】
2019525587.tif 000017
【図１３】
2019525587.tif 000018
【図１４】
2019525587.tif 000019
【図１５】
2019525587.tif 000020
【国際調査報告】
2019525587.tif 000021
2019525587.tif 000022
2019525587.tif 000023
2019525587.tif 000024